(57)【要約】ＤＲＸ／ｅＤＲＸモードのための通信の電力節約および信頼性を改善する方法、装置、およびコンピュータ可読媒体が提供される。基地局は、ＵＥがＤＲＸ／ｅＤＲＸモードにあるというインジケーションをネットワークエンティティから受信し得る。基地局は、ＤＲＸモードまたはｅＤＲＸモードに対応するＵＥのためのＷＵＳモードを構成し得る。ＵＥは、基地局からＷＵＳモードを受信し得る。ＵＥが第１のセルのための緩和されたＲＲＭ測定のために構成され、緩和されたＲＲＭ測定をサポートする第２のセルに移動すると、ＵＥは、ある時間期間にわたって通常のＲＲＭ測定に戻り得る。第１のセルのためのＷＵＳモードのために構成されたＵＥがＷＵＳモードをサポートする第２のセルに移動すると、ＵＥは、ある時間期間にわたってＷＵＳモードを伴わずにＤＲＸモードまたはｅＤＲＸモードに戻り得る。【選択図】図６
2021521687.tif 000002
【特許請求の範囲】
【請求項１】
基地局におけるワイヤレス通信の方法であって、
ＵＥが間欠受信（ＤＲＸ）モードまたは拡張ＤＲＸ（ｅＤＲＸ）モードのうちの１つにあるというインジケーションをネットワークエンティティから受信することと、
前記基地局が、前記ＵＥのためのウェイクアップ信号（ＷＵＳ）モードを構成することと、前記ＷＵＳモードは、前記ＵＥのための前記ＤＲＸモードまたは前記ｅＤＲＸモードに対応する、
を備える、方法。
【請求項２】
前記基地局は、前記ＵＥのための各ページング機会のためにＷＵＳを含むように前記ＷＵＳモードを構成する、請求項１に記載の方法。
【請求項３】
前記インジケーションは、前記ＵＥがＤＲＸモードにあることを示し、前記方法は、
前記基地局において、前記ＵＥのためのＤＲＸサイクルと、前記ＵＥのためのＤＲＸサイクル毎に関連するページング機会を有する前記ＷＵＳとを構成すること
を更に備える、請求項２に記載の方法。
【請求項４】
前記ＵＥは、ナローバンドモノのインターネット（ＮＢ ＩｏＴ）ＵＥを備え、前記基地局によって構成される前記ＤＲＸサイクルは、セル固有であり、前記ＵＥは、前記関連するページング機会において各構成されたＤＲＸサイクルにわたってＷＵＳを受信するように構成される、請求項３に記載の方法。
【請求項５】
前記ＵＥは、マシンタイプ通信（ＭＴＣ）ＵＥを備え、前記ＤＲＸサイクルは、前記ＭＴＣ ＵＥに固有であり、前記ＵＥは、前記関連するページング機会において各構成されたＤＲＸサイクルにわたってＷＵＳを受信するように構成される、請求項３に記載の方法。
【請求項６】
前記ＷＵＳモードは、前記ＵＥのための複数のページング機会のために単一のＷＵＳを含む、請求項１に記載の方法。
【請求項７】
前記単一のＷＵＳに対応する前記複数のページング機会の数は、セル固有である、請求項６に記載の方法。
【請求項８】
前記複数のページング機会の前記数は、前記基地局によって決定される、請求項７に記載の方法。
【請求項９】
前記複数のページング機会の前記数は、システム情報中で前記ＵＥにブロードキャストされる、請求項７に記載の方法。
【請求項１０】
基地局におけるワイヤレス通信のための装置であって、
ＵＥが間欠受信（ＤＲＸ）モードまたは拡張ＤＲＸ（ｅＤＲＸ）モードのうちの１つにあるというインジケーションをネットワークエンティティから受信するための手段と、
前記ＵＥのためのウェイクアップ信号（ＷＵＳ）モードを構成するための手段と、前記ＷＵＳモードは、前記ＵＥのための前記ＤＲＸモードまたは前記ｅＤＲＸモードに対応する、
を備える、装置。
【請求項１１】
前記ＵＥのための各ページング機会のためにＷＵＳを含むように前記ＷＵＳモードを構成するための手段
を更に備える、請求項１０に記載の装置。
【請求項１２】
前記ＵＥのためのＤＲＸサイクルと、前記ＵＥのためのＤＲＸサイクル毎に関連するページング機会を有する前記ＷＵＳとを構成するための手段、ここにおいて、前記インジケーションは、前記ＵＥがＤＲＸモードにあることを示す、
を更に備える、請求項１１に記載の装置。
【請求項１３】
ナローバンドモノのインターネット（ＮＢ ＩｏＴ）ＵＥについてセル固有となるように前記ＤＲＸサイクルを構成するための手段を更に備える、請求項１２に記載の装置。
【請求項１４】
マシンタイプ通信（ＭＴＣ）ＵＥについてＵＥ固有となるように前記ＤＲＸサイクルを構成するための手段を更に備える、請求項１２に記載の装置。
【請求項１５】
前記ＷＵＳモードは、前記ＵＥのための複数のページング機会のために単一のＷＵＳを含む、請求項１０に記載の装置。
【請求項１６】
セル固有である前記複数のページング機会の数を決定するための手段を更に備える、請求項１５に記載の装置。
【請求項１７】
システムブロック情報中で前記ＵＥに前記複数のページング機会の数をブロードキャストするための手段を更に備える、請求項１５に記載の装置。
【請求項１８】
基地局におけるワイヤレス通信のための装置であって、
メモリと、
前記メモリに結合され、
ＵＥが間欠受信（ＤＲＸ）モードまたは拡張ＤＲＸ（ｅＤＲＸ）モードのうちの１つにあるというインジケーションをネットワークエンティティから受信することと、
前記ＵＥのためのウェイクアップ信号（ＷＵＳ）モードを構成することと、前記ＷＵＳモードは、前記ＵＥのための前記ＤＲＸモードまたは前記ｅＤＲＸモードに対応する、
をするように構成された少なくとも１つのプロセッサと
を備える、装置。
【請求項１９】
前記少なくとも１つのプロセッサは、
前記ＵＥのための各ページング機会のためにＷＵＳを含むように前記ＷＵＳモードを構成すること
をするように更に構成される、請求項１８に記載の装置。
【請求項２０】
前記少なくとも１つのプロセッサは、
前記ＵＥのためのＤＲＸサイクルと、前記ＵＥのためのＤＲＸサイクル毎に関連するページング機会を有する前記ＷＵＳとを構成すること、ここにおいて、前記インジケーションは、前記ＵＥがＤＲＸモードにあることを示す、
をするように更に構成される、請求項１８に記載の装置。
【請求項２１】
前記少なくとも１つのプロセッサは、
前記ＵＥのための複数のページング機会のために単一のＷＵＳを含むように前記ＷＵＳモードを構成すること
をするように更に構成される、請求項１８に記載の装置。
【請求項２２】
前記少なくとも１つのプロセッサは、
セル固有である前記複数のページング機会の数を決定すること
をするように更に構成される、請求項２１に記載の装置。
【請求項２３】
ユーザ機器（ＵＥ）におけるワイヤレス通信のためのコンピュータ実行可能コードを記憶するコンピュータ可読媒体であって、前記コンピュータ実行可能コードは、
ＵＥが間欠受信（ＤＲＸ）モードまたは拡張ＤＲＸ（ｅＤＲＸ）モードのうちの１つにあるというインジケーションをネットワークエンティティから受信することと、
前記ＵＥのためのウェイクアップ信号（ＷＵＳ）モードを構成することと、前記ＷＵＳモードは、前記ＵＥのための前記ＤＲＸモードまたは前記ｅＤＲＸモードに対応する、
をするためのコードを備える、コンピュータ可読媒体。
【請求項２４】
前記ＵＥのための各ページング機会のためにＷＵＳを含むように前記ＷＵＳモードを構成すること
をするためのコードを更に備える、請求項２３に記載のコンピュータ可読媒体。
【請求項２５】
前記ＵＥのためのＤＲＸサイクルと、前記ＵＥのためのＤＲＸサイクル毎に関連するページング機会を有する前記ＷＵＳとを構成すること、ここにおいて、前記インジケーションは、前記ＵＥがＤＲＸモードにあることを示す、
をするためのコードを更に備える、請求項２４に記載のコンピュータ可読媒体。
【請求項２６】
前記ＵＥのための複数のページング機会のために単一のＷＵＳを含むように前記ＷＵＳモードを構成すること
をするためのコードを更に備える、請求項２３に記載のコンピュータ可読媒体。
【請求項２７】
セル固有である前記複数のページング機会の数を決定すること
をするためのコードを更に備える、請求項２６に記載のコンピュータ可読媒体。
【請求項２８】
ユーザ機器（ＵＥ）におけるワイヤレス通信の方法であって、
間欠受信（ＤＲＸ）モードまたは拡張ＤＲＸ（ｅＤＲＸ）モードのうちの１つのためのウェイクアップ信号（ＷＵＳ）構成を前記ＵＥのための基地局から受信することと、
前記基地局からの前記受信された構成に基づいて、ページング機会より前にＷＵＳについてリッスンすることと
を備える、方法。
【請求項２９】
前記ＷＵＳ構成は、各ページング機会のためにＷＵＳを含む、請求項２８に記載の方法。
【請求項３０】
前記ＵＥは、ＤＲＸモードにあり、前記方法は、
前記基地局から、前記ＵＥのためのＤＲＸサイクル構成と、前記ＵＥのためのＤＲＸサイクル毎に関連するページング機会を有する前記ＷＵＳとを受信すること
を更に備える、請求項２９に記載の方法。
【請求項３１】
前記ＵＥは、ナローバンドモノのインターネット（ＮＢ ＩｏＴ）ＵＥを備え、前記基地局によって構成される前記ＤＲＸサイクルは、セル固有であり、前記ＵＥは、ＷＵＳが前記関連するページング機会において各構成されたＤＲＸサイクルにわたって送信されることになると仮定する、請求項３０に記載の方法。
【請求項３２】
前記ＵＥは、マシンタイプ通信（ＭＴＣ）ＵＥを備え、前記ＤＲＸサイクルは、前記ＭＴＣ ＵＥに固有であり、前記ＵＥは、ＷＵＳが前記関連するページング機会において各構成されたＤＲＸサイクルにわたって送信されることになると仮定する、請求項３０に記載の方法。
【請求項３３】
前記ＷＵＳ構成は、複数のページング機会のために単一のＷＵＳを備える、請求項２８に記載の方法。
【請求項３４】
前記単一のＷＵＳに対応する前記複数のページング機会の数は、セル固有である、請求項３３に記載の方法。
【請求項３５】
前記複数のページング機会の前記数は、前記基地局によって決定される、請求項３４に記載の方法。
【請求項３６】
システム情報のブロードキャスト中で前記複数のページング機会の前記数のインジケーションを受信すること
を更に備える、請求項３４に記載の方法。
【請求項３７】
ユーザ機器（ＵＥ）におけるワイヤレス通信のための装置であって、
間欠受信（ＤＲＸ）モードまたは拡張ＤＲＸ（ｅＤＲＸ）モードのうちの１つのためのウェイクアップ信号（ＷＵＳ）構成を前記ＵＥのための基地局から受信するための手段と、
前記基地局からの前記受信された構成に基づいて、ページング機会より前にＷＵＳについてリッスンするための手段と
を備える、装置。
【請求項３８】
前記ＵＥのためのＤＲＸサイクル構成と、前記ＵＥのためのＤＲＸサイクル毎に関連するページング機会を有する前記ＷＵＳとを受信するための手段、ここにおいて、前記ＵＥは、ＤＲＸモードにある、
を更に備える、請求項３７に記載の装置。
【請求項３９】
複数のページング機会のために単一のＷＵＳを備える前記ＷＵＳ構成を受信するための手段
を更に備える、請求項３７に記載の装置。
【請求項４０】
システム情報のブロードキャスト中で前記複数のページング機会の数のインジケーションを受信するための手段
を更に備える、請求項３９に記載の装置。
【請求項４１】
ユーザ機器（ＵＥ）におけるワイヤレス通信のための装置であって、
メモリと、
前記メモリに結合され、
間欠受信（ＤＲＸ）モードまたは拡張ＤＲＸ（ｅＤＲＸ）モードのうちの１つのためのウェイクアップ信号（ＷＵＳ）構成を前記ＵＥのための基地局から受信することと、
前記基地局からの前記受信された構成に基づいて、ページング機会より前にＷＵＳについてリッスンすることと
をするように構成された少なくとも１つのプロセッサと
を備える、装置。
【請求項４２】
前記少なくとも１つのプロセッサは、
前記ＵＥのためのＤＲＸサイクル構成と、前記ＵＥのためのＤＲＸサイクル毎に関連するページング機会を有する前記ＷＵＳとを受信すること、ここにおいて、前記ＵＥは、ＤＲＸモードにある、
をするように更に構成される、請求項４１に記載の装置。
【請求項４３】
前記少なくとも１つのプロセッサは、
複数のページング機会のために単一のＷＵＳを備える前記ＷＵＳ構成を受信すること
をするように更に構成される、請求項４１に記載の装置。
【請求項４４】
前記少なくとも１つのプロセッサは、
システム情報のブロードキャスト中で前記複数のページング機会の数のインジケーションを受信すること
をするように更に構成される、請求項４３に記載の装置。
【請求項４５】
ユーザ機器（ＵＥ）におけるワイヤレス通信のためのコンピュータ実行可能コードを記憶するコンピュータ可読媒体であって、前記コンピュータ実行可能コードは、
間欠受信（ＤＲＸ）モードまたは拡張ＤＲＸ（ｅＤＲＸ）モードのうちの１つのためのウェイクアップ信号（ＷＵＳ）構成を前記ＵＥのための基地局から受信することと、
前記基地局からの前記受信された構成に基づいて、ページング機会より前にＷＵＳについてリッスンすることと
をするためのコードを備える、コンピュータ可読媒体。
【請求項４６】
前記ＵＥのためのＤＲＸサイクル構成と、前記ＵＥのためのＤＲＸサイクル毎に関連するページング機会を有する前記ＷＵＳとを受信すること、ここにおいて、前記ＵＥは、ＤＲＸモードにある、
をするためのコードを更に備える、請求項４５に記載のコンピュータ可読媒体。
【請求項４７】
複数のページング機会のために単一のＷＵＳを備える前記ＷＵＳ構成を受信すること
をするためのコードを更に備える、請求項４５に記載のコンピュータ可読媒体。
【請求項４８】
システム情報のブロードキャスト中で前記複数のページング機会の数のインジケーションを受信すること
をするためのコードを更に備える、請求項４７に記載のコンピュータ可読媒体。
【請求項４９】
ユーザ機器（ＵＥ）におけるワイヤレス通信の方法であって、
第１のセルとの緩和された無線リソース管理（ＲＲＭ）測定に入ることと、ここにおいて、前記緩和されたＲＲＭ測定は、１つよりも多くのＤＲＸサイクルにわたって単一のＲＲＭ測定を備える、
前記緩和されたＲＲＭ測定をサポートする第２のセルを再選択することと、
ある時間期間にわたって通常のＲＲＭ測定に戻ることと、ここにおいて、前記通常のＲＲＭ測定は、各ＤＲＸサイクルにわたって１つのＲＲＭ測定を備える、
を備える、方法。
【請求項５０】
前記時間期間は、ブロードキャストシステム情報を介して基地局から受信されたインジケーションに基づく、請求項４９に記載の方法。
【請求項５１】
前記時間期間は、ブロードキャストシステム情報を介して基地局から受信された前記緩和されたＲＲＭ測定についての構成パラメータに基づいて算出される、請求項４９に記載の方法。
【請求項５２】
前記時間期間は、事前定義された最小持続時間に少なくとも部分的に基づく、請求項４９に記載の方法。
【請求項５３】
前記事前定義された最小持続時間は、前記ＵＥが精度要件を満たすためにＲＲＭ測定を実行するための時間長を備える、請求項５２に記載の方法。
【請求項５４】
前記事前定義された最小持続時間は、低モビリティＵＥとして識別される前記ＵＥに対応する時間長を備える、請求項５２に記載の方法。
【請求項５５】
ユーザ機器（ＵＥ）におけるワイヤレス通信のための装置であって、
第１のセルとの緩和された無線リソース管理（ＲＲＭ）測定に入るための手段と、ここにおいて、前記緩和されたＲＲＭ測定は、１つよりも多くのＤＲＸサイクルにわたって単一のＲＲＭ測定を備える、
前記緩和されたＲＲＭ測定をサポートする第２のセルを再選択するための手段と、
ある時間期間にわたって通常のＲＲＭ測定に戻るための手段と、ここにおいて、前記通常のＲＲＭ測定は、各ＤＲＸサイクルにわたって１つのＲＲＭ測定を備える、
を備える、装置。
【請求項５６】
ブロードキャストシステム情報を介して基地局から前記時間期間のインジケーションを受信するための手段
を更に備える、請求項５５に記載の装置。
【請求項５７】
ユーザ機器（ＵＥ）におけるワイヤレス通信のための装置であって、
メモリと、
前記メモリに結合され、
第１のセルとの緩和された無線リソース管理（ＲＲＭ）測定に入ることと、ここにおいて、前記緩和されたＲＲＭ測定は、１つよりも多くのＤＲＸサイクルにわたって単一のＲＲＭ測定を備える、
前記緩和されたＲＲＭ測定をサポートする第２のセルを再選択することと、
ある時間期間にわたって通常のＲＲＭ測定に戻ることと、ここにおいて、前記通常のＲＲＭ測定は、各ＤＲＸサイクルにわたって１つのＲＲＭ測定を備える、
をするように更に構成された少なくとも１つのプロセッサと
を備える、装置。
【請求項５８】
前記少なくとも１つのプロセッサは、
ブロードキャストシステム情報を介して基地局から前記時間期間のインジケーションを受信すること
をするように更に構成される、請求項５７に記載の装置。
【請求項５９】
ユーザ機器（ＵＥ）におけるワイヤレス通信のためのコンピュータ実行可能コードを記憶するコンピュータ可読媒体であって、前記コンピュータ実行可能コードは、
第１のセルとの緩和された無線リソース管理（ＲＲＭ）測定に入ることと、ここにおいて、前記緩和されたＲＲＭ測定は、１つよりも多くのＤＲＸサイクルにわたって単一のＲＲＭ測定を備える、
前記緩和されたＲＲＭ測定をサポートする第２のセルを再選択することと、
ある時間期間にわたって通常のＲＲＭ測定に戻ることと、ここにおいて、前記通常のＲＲＭ測定は、各ＤＲＸサイクルにわたって１つのＲＲＭ測定を備える、
をするためのコードを備える、コンピュータ可読媒体。
【請求項６０】
ブロードキャストシステム情報を介して基地局から前記時間期間のインジケーションを受信すること
をするためのコードを更に備える、請求項５９に記載のコンピュータ可読媒体。
【請求項６１】
ユーザ機器（ＵＥ）におけるワイヤレス通信の方法であって、
間欠受信（ＤＲＸ）モードまたは拡張間欠受信（ｅＤＲＸ）モードに入ることと、前記ＤＲＸモードまたは前記ｅＤＲＸモードは、第１のセルとのウェイクアップ信号（ＷＵＳ）モードを備える、
前記ＷＵＳモードをサポートする第２のセルを再選択することと、
前記第２のセルを前記再選択した後に、ある時間期間にわたって前記ＷＵＳモードを伴わずに前記ＤＲＸモードまたは前記ｅＤＲＸモードに戻ることと
を備える、方法。
【請求項６２】
前記時間期間は、ブロードキャストシステム情報を介して基地局から受信されたインジケーションに基づく、請求項６１に記載の方法。
【請求項６３】
前記時間期間は、事前定義された最小持続時間に基づく、請求項６１に記載の方法。
【請求項６４】
前記時間期間は、前記ＵＥのためのネットワークエンティティから受信されたＷＵＳ構成のパラメータに基づいて決定される、請求項６３に記載の方法。
【請求項６５】
前記時間期間は、モビリティ管理エンティティ（ＭＭＥ）レイテンシ要件と以前のＷＵＳ検出の持続時間とに基づく、請求項６４に記載の方法。
【請求項６６】
前記時間期間は、前記ＵＥのための基地局から受信されたＷＵＳ構成のパラメータに基づいて決定される、請求項６１に記載の方法。
【請求項６７】
前記時間期間は、ＷＵＳ構成に基づく事前定義されたルックアップテーブルに基づいて決定される、請求項６１に記載の方法。
【請求項６８】
前記時間期間は、前記ＵＥが前記第２のセルを再選択した後のＤＲＸサイクルの数に基づく、請求項６４に記載の方法。
【請求項６９】
前記ＷＵＳモードは、各ＤＲＸサイクルにわたってＷＵＳを備え、前記時間期間は、少なくとも２つのＤＲＸサイクルを備え、
前記少なくとも２つのＤＲＸサイクルの後に、前記ＵＥは、前記ＷＵＳモードに戻る、請求項６８に記載の方法。
【請求項７０】
前記ＷＵＳモードは、Ｎ個の複数のＤＲＸサイクルにわたって単一のＷＵＳを備え、前記時間期間は、Ｎ個のＤＲＸサイクルに対応する、請求項６８に記載の方法。
【請求項７１】
前記ＷＵＳモードは、Ｎ個の複数のＤＲＸサイクルにわたって単一のＷＵＳを備え、前記ｅＤＲＸモードは、Ｍ個のＤＲＸサイクル毎に単一の無線リソース管理（ＲＲＭ）測定を有する緩和されたＲＲＭ測定を備え、
前記時間期間は、Ｎ−Ｍ0個のＤＲＸサイクルを備え、ここで、Ｍ0は、前記ＵＥが前記第２のセルを再選択する前記ＲＲＭ測定を指す、請求項６８に記載の方法。
【請求項７２】
ユーザ機器（ＵＥ）におけるワイヤレス通信のための装置であって、
間欠受信（ＤＲＸ）モードまたは拡張間欠受信（ｅＤＲＸ）モードに入るための手段と、前記ＤＲＸモードまたは前記ｅＤＲＸモードは、第１のセルとのウェイクアップ信号（ＷＵＳ）モードを備える、
前記ＷＵＳモードをサポートする第２のセルを再選択するための手段と、
前記第２のセルを前記再選択した後に、ある時間期間にわたって前記ＷＵＳモードを伴わずに前記ＤＲＸモードまたは前記ｅＤＲＸモードに戻るための手段と
を備える、装置。
【請求項７３】
ブロードキャストシステム情報を介して基地局から前記時間期間のインジケーションを受信するための手段、ここにおいて、前記時間期間は、事前定義された最小持続時間に基づく、
を更に備える、請求項７２に記載の装置。
【請求項７４】
基地局から受信されたＷＵＳ構成のパラメータに基づいて、前記時間期間のインジケーションを受信するための手段
を更に備える、請求項７２に記載の装置。
【請求項７５】
ＷＵＳ構成に基づく事前定義されたルックアップテーブルに基づいて、前記時間期間のインジケーションを受信するための手段
を更に備える、請求項７２に記載の装置。
【請求項７６】
ユーザ機器（ＵＥ）におけるワイヤレス通信のための装置であって、
メモリと、
前記メモリに結合され、
間欠受信（ＤＲＸ）モードまたは拡張間欠受信（ｅＤＲＸ）モードに入ることと、前記ＤＲＸモードまたは前記ｅＤＲＸモードは、第１のセルとのウェイクアップ信号（ＷＵＳ）モードを備える、
前記ＷＵＳモードをサポートする第２のセルを再選択することと、
前記第２のセルを前記再選択した後に、ある時間期間にわたって前記ＷＵＳモードを伴わずに前記ＤＲＸモードまたは前記ｅＤＲＸモードに戻ることと
をするように構成された少なくとも１つのプロセッサと
を備える、装置。
【請求項７７】
前記少なくとも１つのプロセッサは、
ブロードキャストシステム情報を介して基地局から前記時間期間のインジケーションを受信すること、ここにおいて、前記時間期間は、事前定義された最小持続時間に基づく、
をするように更に構成される、請求項７６に記載の装置。
【請求項７８】
前記少なくとも１つのプロセッサは、
基地局から受信されたＷＵＳ構成のパラメータに基づいて、前記時間期間のインジケーションを受信すること
をするように更に構成される、請求項７６に記載の装置。
【請求項７９】
前記少なくとも１つのプロセッサは、
ＷＵＳ構成に基づく事前定義されたルックアップテーブルに基づいて、前記時間期間のインジケーションを受信すること
をするように更に構成される、請求項７６に記載の装置。
【請求項８０】
ユーザ機器（ＵＥ）におけるワイヤレス通信のためのコンピュータ実行可能コードを記憶するコンピュータ可読媒体であって、前記コンピュータ実行可能コードは、
間欠受信（ＤＲＸ）モードまたは拡張間欠受信（ｅＤＲＸ）モードに入ることと、前記ＤＲＸモードまたは前記ｅＤＲＸモードは、第１のセルとのウェイクアップ信号（ＷＵＳ）モードを備える、
前記ＷＵＳモードをサポートする第２のセルを再選択することと、
前記第２のセルを前記再選択した後に、ある時間期間にわたって前記ＷＵＳモードを伴わずに前記ＤＲＸモードまたは前記ｅＤＲＸモードに戻ることと
をするためのコードを備える、コンピュータ可読媒体。
【請求項８１】
ブロードキャストシステム情報を介して基地局から前記時間期間のインジケーションを受信すること、ここにおいて、前記時間期間は、事前定義された最小持続時間に基づく、
をするためのコードを更に備える、請求項８０に記載のコンピュータ可読媒体。
【請求項８２】
基地局から受信されたＷＵＳ構成のパラメータに基づいて、前記時間期間のインジケーションを受信すること
をするためのコードを更に備える、請求項８０に記載のコンピュータ可読媒体。
【請求項８３】
ＷＵＳ構成に基づく事前定義されたルックアップテーブルに基づいて、前記時間期間のインジケーションを受信すること
をするためのコードを更に備える、請求項８０に記載のコンピュータ可読媒体。
【発明の詳細な説明】
【関連出願の相互参照】
【０００１】
[0001]  本願は、「INTERACTION BETWEEN WUS AND RRM MEASUREMENT」と題され、２０１８年４月１３日に出願された米国仮特許出願第６２／６５７，６３０号、および「INTERACTION BETWEEN WUS AND RRM MEASUREMENT」と題され、２０１９年２月２８日に出願された米国特許出願第１６／２８９，４３５号の優先権を主張するもので、それらの全てが明細書に参照によって明確に組み込まれる。
【技術分野】
【０００２】
[0002]  本開示は一般に、通信システムに関し、より詳細には、間欠受信（ＤＲＸ：discontinuous reception）モードまたは拡張ＤＲＸ（ｅＤＲＸ：extended DRX）モードに関連するウェイクアップ信号（ＷＵＳ：wake-up signal）および無線リソース管理（ＲＲＭ：radio resource management）測定に関する。
【背景技術】
【０００３】
[0003]  ワイヤレス通信システムは、電話通信、ビデオ、データ、メッセージング、およびブロードキャストなどの様々な電気通信サービスを提供するために広く展開されている。典型的なワイヤレス通信システムは、利用可能なシステムリソースを共有することによって複数のユーザとの通信をサポートすることが可能な多元接続技術を採用し得る。そのような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムを含む。
【０００４】
[0004]  これら多元接続技術は、異なるワイヤレスデバイスが、都市、国家、地域、更には地球規模で通信することを可能にする共通プロトコルを提供するために、様々な電気通信規格において採用されてきた。実例的な電気通信規格は、５Ｇ新無線（ＮＲ：New Radio）である。５Ｇ ＮＲは、レイテンシ、信頼性、セキュリティ、（例えば、モノのインターネット（ＩｏＴ：Internet of Things）を用いた）スケーラビリティ、および他の要件に関連付けられた新しい要件を満たすために、第３世代パートナーシッププロジェクト（３ＧＰＰ（登録商標））によって公表された継続的モバイルブロードバンド進化の一部である。５Ｇ ＮＲのいくつかの態様は、４Ｇロングタームエボリューション（ＬＴＥ（登録商標））規格に基づき得る。５Ｇ ＮＲ技術における更なる改善の必要性が存在する。これら改善はまた、他の多元接続技術およびこれら技術を採用する電気通信規格に適用可能であり得る。
【発明の概要】
【０００５】
[0005]  以下は、１つまたは複数の態様の基本的な理解を提供するために、そのような態様の簡略化された概要を提示する。この概要は、全ての企図された態様の広範な概観でなく、全ての態様の基幹的要素または重要な要素を識別することも、任意の態様または全ての態様の範囲を叙述することも意図されない。その唯一の目的は、後に提示されるより詳細な説明への前置きとして、簡略化された形式で１つまたは複数の態様のいくつかの概念を提示することである。
【０００６】
[0006]  ユーザ機器（ＵＥ：User Equipment）は、例えば、バッテリー電力を節約するために、ＤＲＸモードまたはｅＤＲＸモードに入り得る。ＤＲＸモードまたはｅＤＲＸモードにあるＵＥは、ページング機会（paging occasion）中に基地局からの通信についてリッスン（listen）し得る。ＤＲＸモードまたはｅＤＲＸモードにあるＵＥは、ページング機会の残りの間にリッスンするかどうかを決定するために、ウェイクアップ信号（ＷＵＳ：wake up signal）を検出することを試みるように構成され得る。加えて、ＵＥは、緩和された（relaxed）無線リソース管理（ＲＲＭ：Radio Resource Management）測定を行うように構成され得る。しかしながら、ＷＵＳとＲＲＭ測定との間の相互作用に関して問題が生じ得る。例えば、ＤＲＸおよびｅＤＲＸのための異なるＷＵＳ構成をサポートすることは問題であり得る。別の例として、ＵＥが新しいセルに移動するとき、ＲＲＭ測定の精度および新しいセルからの通信の検出は、ＵＥのＷＵＳ構成および／または緩和されたＲＲＭ測定構成に基づいて低減され得る。ＤＲＸまたはｅＤＲＸモードに関連する改善された通信が必要である。本願は、ＵＥおよび基地局がこれら問題を解決し得る方法を提供する。
【０００７】
[0007]  本開示のある態様では、基地局におけるワイヤレス通信のための方法、コンピュータ可読媒体、および装置が提供される。装置は、ＵＥがＤＲＸモードまたはｅＤＲＸモードのうちの１つにあるというインジケーションをコアネットワークエンティティ（ＣＮＥ：core network entity）から受信し、基地局は、ＤＲＸモードまたはｅＤＲＸモードに対応するＵＥのためのＷＵＳモードを構成し得る。例えば、ＣＮＥは、モビリティ管理エンティティ（ＭＭＥ：mobility management entity）であり得る。
【０００８】
[0008]  本開示の別の態様では、ＵＥにおけるワイヤレス通信のための方法、コンピュータ可読媒体、および装置が提供される。装置は、ＤＲＸモードまたはｅＤＲＸモードのうちの１つのためのＷＵＳモードを基地局から受信するように構成され得る。
【０００９】
[0009]  本開示の更に別の態様では、ＵＥにおけるワイヤレス通信のための方法、コンピュータ可読媒体、および装置が提供される。装置は、第１のセルとの緩和されたＲＲＭ測定に入り得、ここで、緩和されたＲＲＭ測定は、１つよりも多くのＤＲＸサイクルにわたって単一のＲＲＭ測定を備える。緩和されたＲＲＭ測定をサポートする第２のセルを再選択すると、ＵＥは、ある時間期間にわたって通常のＲＲＭ測定に戻り、ここで、通常のＲＲＭ測定は、各ＤＲＸサイクルにわたって１つのＲＲＭ測定を備える。
【００１０】
[0010]  本開示の更に別の態様では、ＵＥにおけるワイヤレス通信のための方法、コンピュータ可読媒体、および装置が提供される。装置は、第１のセルとのＷＵＳモードを備えるＤＲＸモードまたはｅＤＲＸモードに入り得る。ＷＵＳモードをサポートする第２のセルを再選択すると、ＵＥは、ある時間期間にわたってＷＵＳモードを伴わずにＤＲＸモードまたはｅＤＲＸモードに戻る。
【００１１】
[0011]  前述の目的および関連する目的の達成のために、１つまたは複数の態様は、以下において十分に説明され、且つ特許請求の範囲で特に指摘される特徴を備える。以下の説明および付属の図面は、１つまたは複数の態様のある特定の例示的な特徴を詳細に明らかにする。これら特徴は、しかしながら、様々な態様の原理が採用され得る様々な方法のうちのほんの一部を示すものであり、この説明は、全てのそのような態様およびそれらの均等物を含むことを意図される。
【図面の簡単な説明】
【００１２】
【図１】[0012]  ワイヤレス通信システムおよびアクセスネットワークの例を例示する図である。
【図２Ａ】[0013]  第１の５Ｇ／ＮＲフレームの例を例示する図である。
【図２Ｂ】５Ｇ／ＮＲサブフレーム内のＤＬチャネルの例を例示する図である。
【図２Ｃ】第２の５Ｇ／ＮＲフレームの例を例示する図である。
【図２Ｄ】５Ｇ／ＮＲサブフレーム内のＵＬチャネルの例を例示する図である。
【図３】[0014]  アクセスネットワーク中の基地局およびユーザ機器（ＵＥ）の例を例示する図である。
【図４】[0015]  ＵＥと通信状態にある基地局を例示する図である。
【図５】[0016]  ＭＭＥと基地局とＵＥとの間の通信の例を例示する図である。
【図６】[0017]  ＤＲＸおよびｅＤＲＸのための異なるＷＵＳ構成をサポートするための実例的な解決策を例示するフロー図である。
【図７Ａ】[0018]  ナローバンドモノのインターネット（ＮＢ−ＩｏＴ：Narrow Band-Internet of Things）ＵＥのためのページング時間ウィンドウ毎のページング機会の実例的な数を例示する。
【図７Ｂ】拡張マシンタイプ通信（ｅＭＴＣ：enhanced machine type communications）ＵＥのためのページング時間ウィンドウ毎のページング機会の実例的な数を例示する。
【図８】[0019]  ワイヤレス通信の方法のフローチャートである。
【図９】[0020]  実例的な装置中の異なる手段／コンポーネント間のデータフローを例示する概念的なデータフロー図である。
【図１０】[0021]  処理システムを採用する装置のためのハードウェア実現形態の例を例示する図である。
【図１１】[0022]  ワイヤレス通信の方法のフローチャートである。
【図１２】[0023]  実例的な装置中の異なる手段／コンポーネント間のデータフローを例示する概念的なデータフロー図である。
【図１３】[0024]  処理システムを採用する装置のためのハードウェア実現形態の例を例示する図である。
【図１４】[0025]  ワイヤレス通信の別の方法のフローチャートである。
【図１５】[0026]  実例的な装置中の異なる手段／コンポーネント間のデータフローを例示する概念的なデータフロー図である。
【図１６】[0027]  処理システムを採用する装置のためのハードウェア実現形態の例を例示する図である。
【図１７】[0028]  ワイヤレス通信の更なる別の方法のフローチャートである。
【図１８Ａ】[0029]  次のＷＵＳタイミングまで直接ＤＲＸサイクルを検出する方法を例示する。
【図１８Ｂ】次のＷＵＳタイミングまで直接ＤＲＸサイクルを検出する方法を例示する。
【図１８Ｃ】次のＷＵＳタイミングまで直接ＤＲＸサイクルを検出する方法を例示する。
【図１９】[0030]  例証的な装置中の異なる手段／コンポーネント間のデータフローを例示する概念的なデータフロー図である。
【図２０】[0031]  処理システムを採用する装置のためのハードウェア実現形態の例を例示する図である。
【図２１Ａ】[0032]  実例的なＤＲＸサイクルを例示する。
【図２１Ｂ】[0033]  実例的なｅＤＲＸサイクルを例示する。
【詳細な説明】
【００１３】
[0034]  添付された図面に関連して以下に明らかにされる詳細な説明は、様々な構成の説明として意図されるもので、本明細書で説明される概念が実践され得る唯一の構成を表すことを意図されない。詳細な説明は、様々な概念の完全な理解を提供することを目的とした特定の詳細を含む。しかしながら、これら概念がこれら特定の詳細なしに実践され得ることは当業者にとって明らかであろう。いくつかの事例では、よく知られる構造およびコンポーネントが、そのような概念を曖昧にすることを避けるためにブロック図形式で示される。
【００１４】
[0035]  ここで、電気通信システムのいくつかの態様が、様々な装置および方法を参照して提示されることになる。これら装置および方法は、以下の詳細な説明において説明され、様々なブロック、コンポーネント、回路、プロセス、アルゴリズム、等（一括して「要素」と呼ばれる）によって添付の図面において例示されることになる。これら要素は、電子ハードウェア、コンピュータソフトウェア、またはそれらの任意の組み合わせを使用して実現され得る。そのような要素がハードウェアとして実現されるか、またはソフトウェアとして実現されるかは、特定のアプリケーションと、システム全体に課される設計制約とに依存する。
【００１５】
[0036]  例として、要素、または要素の任意の一部分、または要素の任意の組み合わせは、１つまたは複数のプロセッサを含む「処理システム」として実現され得る。プロセッサの例は、マイクロプロセッサ、マイクロコントローラ、グラフィックス処理ユニット（ＧＰＵ）、中央処理ユニット（ＣＰＵ）、アプリケーションプロセッサ、デジタルシグナルプロセッサ（ＤＳＰ）、縮小命令セットコンピューティング（ＲＩＳＣ）プロセッサ、システムオンチップ（ＳｏＣ）、ベースバンドプロセッサ、フィールドプログラマブルゲートアレイ（ＦＰＧＡ）、プログラマブルロジックデバイス（ＰＬＤ）、ステートマシン、ゲートロジック、ディスクリートハードウェア回路、およびこの開示全体を通じて説明される様々な機能を行うように構成された他の適したハードウェアを含む。処理システム中の１つまたは複数のプロセッサは、ソフトウェアを実行し得る。ソフトウェアは、ソフトウェア、ファームウェア、ミドルウェア、マイクロコード、ハードウェア記述言語、またはその他の名称で呼ばれるかにかかわらず、命令、命令セット、コード、コードセグメント、プログラムコード、プログラム、サブプログラム、ソフトウェアコンポーネント、アプリケーション、ソフトウェアアプリケーション、ソフトウェアパッケージ、ルーチン、サブルーチン、オブジェクト、実行ファイル、実行スレッド、プロシージャ、関数、等を意味するように広く解釈されるべきである。
【００１６】
[0037]  それ故に、１つまたは複数の実例的な実施形態において、説明される機能は、ハードウェア、ソフトウェア、またはそれらの任意の組み合わせにおいて実現され得る。ソフトウェアにおいて実現される場合、機能は、コンピュータ可読媒体上で１つまたは複数の命令またはコードとして記憶または符号化され得る。コンピュータ可読媒体は、コンピュータ記憶媒体を含む。記憶媒体は、コンピュータによってアクセスされ得る任意の利用可能な媒体であり得る。限定でなく例として、そのようなコンピュータ可読媒体は、ランダムアクセスメモリ（ＲＡＭ）、読取専用メモリ（ＲＯＭ）、電気的消去可能プログラマブルＲＯＭ（ＥＥＰＲＯＭ（登録商標））、光ディスク記憶装置、磁気ディスク記憶装置、他の磁気記憶デバイス、前述されたタイプのコンピュータ可読媒体の組み合わせ、またはコンピュータによってアクセスされ得るデータ構造若しくは命令の形式でコンピュータ実行可能コードを記憶するために使用され得る任意の他の媒体を備えることができる。
【００１７】
[0038]  図１は、ワイヤレス通信システムおよびアクセスネットワーク１００の例を例示する図である。（ワイヤレスワイドエリアネットワーク（ＷＷＡＮ：wireless wide area network）とも呼ばれる）ワイヤレス通信システムは、基地局１０２、ＵＥ１０４、発展型パケットコア（ＥＰＣ：Evolved Packet Core）１６０、および５Ｇコア（５ＧＣ）１９０を含む。基地局１０２は、マクロセル（高電力セルラ基地局）および／またはスモールセル（低電力セルラ基地局）を含み得る。マクロセルは、基地局を含む。スモールセルは、フェムトセル、ピコセル、およびマイクロセルを含む。
【００１８】
[0039]  （一括して発展型ユニバーサルモバイル電気通信システム（ＵＭＴＳ）地上無線アクセスネットワーク（Ｅ−ＵＴＲＡＮ）と呼ばれる）４Ｇ ＬＴＥのために構成された基地局１０２は、バックホールリンク１３２（例えば、Ｓ１インターフェース）を通じてＥＰＣ１６０とインターフェースし得る。（一括して次世代ＲＡＮ（ＮＧ−ＲＡＮ）と呼ばれる）５Ｇ ＮＲのために構成された基地局１０２は、バックホールリンク１８４を通じて５ＧＣ１９０とインターフェースし得る。他の機能に加えて、基地局１０２は、以下の機能のうちの１つまたは複数を行い得る：ユーザデータの転送、無線チャネル暗号化および暗号解読、インテグリティ保護、ヘッダ圧縮、モビリティ制御機能（例えば、ハンドオーバ、デュアルコネクティビティ）、セル間干渉協調、接続セットアップおよび解放、負荷バランシング、非アクセス層（ＮＡＳ：non-access stratum）メッセージのための分配、ＮＡＳノード選択、同期、無線アクセスネットワーク（ＲＡＮ：radio access network）共有、マルチメディアブロードキャストマルチキャストサービス（ＭＢＭＳ：multimedia broadcast multicast service）、加入者および機器トレース、ＲＡＮ情報管理（ＲＩＭ：RAN information management）、ページング、測位、および警告メッセージの配信。基地局１０２は、バックホールリンク１３４（例えば、Ｘ２インターフェース）を通して互いに直接または間接的に（例えば、ＥＰＣ１６０または５ＧＣ１９０を通じて）通信し得る。バックホールリンク１３４は、ワイヤードまたはワイヤレスであり得る。
【００１９】
[0040]  基地局１０２は、ＵＥ１０４とワイヤレスに通信し得る。基地局１０２の各々は、それぞれの地理的カバレッジエリア１１０に対して通信カバレッジを提供し得る。重複している地理的カバレッジエリア１１０があり得る。例えば、スモールセル１０２’は、１つまたは複数のマクロ基地局１０２のカバレッジエリア１１０に重複するカバレッジエリア１１０’を有し得る。スモールセルとマクロセルとの両方を含むネットワークは、異種ネットワークとして知られ得る。異種ネットワークはまた、ホーム発展型ノードＢ（ｅＮＢ）（ＨｅＮＢ：Home Evolved Node B）を含み得、それは、限定加入者グループ（ＣＳＧ：closed subscriber group）として知られる制限されたグループにサービスを提供し得る。基地局１０２とＵＥ１０４との間の通信リンク１２０は、ＵＥ１０４から基地局１０２への（逆方向リンクとも呼ばれる）アップリンク（ＵＬ：uplink）送信および／または基地局１０２からＵＥ１０４への（順方向リンクとも呼ばれる）ダウンリンク（ＤＬ：downlink）送信を含み得る。通信リンク１２０は、空間多重化、ビームフォーミング、および／または送信ダイバーシティを含む、多入力多出力（ＭＩＭＯ）アンテナ技術を使用し得る。通信リンクは、１つまたは複数のキャリアを通り得る。基地局１０２／ＵＥ１０４は、各方向への送信のために使用される最大で合計Ｙｘ ＭＨｘ（ｘ個のコンポーネントキャリア）のキャリアアグリゲーションにおいて割り振られるキャリア毎に最大でＹ ＭＨｚ（例えば、５、１０、１５、２０、１００、４００、等のＭＨｚ）帯域幅のスペクトルを使用し得る。キャリアは、互いに隣接していることも、していないこともある。キャリアの割り振りは、ＤＬおよびＵＬに対して非対称であり得る（例えば、ＵＬに対してよりも多くのまたは少ないキャリアがＤＬに対して割り振られ得る）。コンポーネントキャリアは、１つのプライマリコンポーネントキャリアと１つまたは複数のセカンダリコンポーネントキャリアとを含み得る。プライマリコンポーネントキャリアは、プライマリセル（ＰＣｅｌｌ：primary cell）と呼ばれ得、セカンダリコンポーネントキャリアは、セカンダリセル（ＳＣｅｌｌ：secondary cell）と呼ばれ得る。
【００２０】
[0041]  ある特定のＵＥ１０４は、デバイス間（Ｄ２Ｄ：device-to-device）通信リンク１５８を使用して互いに通信し得る。Ｄ２Ｄ通信リンク１５８は、ＤＬ／ＵＬ ＷＷＡＮスペクトルを使用し得る。Ｄ２Ｄ通信リンク１５８は、物理サイドリンクブロードキャストチャネル（ＰＳＢＣＨ：physical sidelink broadcast channel）、物理サイドリンク発見チャネル（ＰＳＤＣＨ：physical sidelink discovery channel）、物理サイドリンク共有チャネル（ＰＳＳＣＨ：physical sidelink shared channel）、および物理サイドリンク制御チャネル（ＰＳＣＣＨ：physical sidelink control channel）など、１つまたは複数のサイドリンクチャネルを使用し得る。Ｄ２Ｄ通信は、例えば、ＦｌａｓｈＬｉｎＱ、ＷｉＭｅｄｉａ、Ｂｌｕｅｔｏｏｔｈ（登録商標）、ＺｉｇＢｅｅ、ＩＥＥＥ８０２．１１規格に基づくＷｉ−Ｆｉ、ＬＴＥ、またはＮＲなど、多様なワイヤレスＤ２Ｄ通信システムを通り得る。
【００２１】
[0042]  ワイヤレス通信システムは更に、５ＧＨｚのアンライセンス周波数スペクトル中で通信リンク１５４を介してＷｉ−Ｆｉ局（ＳＴＡ：station）１５２と通信状態にあるＷｉ−Ｆｉアクセスポイント（ＡＰ：access point）１５０を含み得る。アンライセンス周波数スペクトル中で通信するとき、ＳＴＡ１５２／ＡＰ１５０は、チャネルが利用可能かどうかを決定するために、通信するより前にクリアチャネル評価（ＣＣＡ：clear channel assessment）を行い得る。
【００２２】
[0043]  スモールセル１０２’は、ライセンスおよび／またはアンライセンス周波数スペクトル中で動作し得る。アンライセンス周波数スペクトル中で動作するとき、スモールセル１０２’は、ＮＲを採用し、Ｗｉ−Ｆｉ ＡＰ１５０によって使用されたのと同じ５ＧＨｚのアンライセンス周波数スペクトルを使用し得る。アンライセンス周波数スペクトル中でＮＲを採用するスモールセル１０２’は、アクセスネットワークに対するカバレッジを強化および／またはアクセスネットワークの容量を増大させ得る。
【００２３】
[0044]  基地局１０２は、スモールセル１０２’であれ、ラージセル（例えば、マクロ基地局）であれ、ｅＮＢ、ｇノードＢ（ｇＮＢ）、または他のタイプの基地局を含み得る。ｇＮＢ１８０などのいくつかの基地局は、ＵＥ１０４と通信状態にあるニアミリメートル波（ｍｍＷ）周波数、ｍｍＷ周波数中、および／または従来のサブ６ＧＨｚスペクトル中で動作し得る。ｇＮＢ１８０がｍｍＷまたはニアｍｍＷ周波数で動作するとき、ｇＮＢ１８０は、ｍｍＷ基地局と呼ばれ得る。極極極超短波（ＥＨＦ：Extremely high frequency）は、電磁スペクトル中のＲＦの一部である。ＥＨＦは、３０ＧＨｚ〜３００ＧＨｚの範囲および１ミリメートルと１０ミリメートルとの間の波長を有する。帯域中の電波（Radio waves）は、ミリメートル波と呼ばれ得る。ニアｍｍＷは、１００ミリメートルの波長を有する３ＧＨｚの周波数まで下がって広がり得る。極極超短波（ＳＨＦ：super high frequency）帯域は、３ＧＨｚと３０ＧＨｚとの間に広がり、センチメートル波とも呼ばれる。ｍｍＷ／ニアｍｍＷ無線周波数帯域（例えば、３ＧＨｚ〜３００ＧＨｚ）を使用する通信は、極めて高い経路損失および短い距離を有する。ｍｍＷ基地局１８０は、極めて高い経路損失および短い距離を補償するために、ＵＥ１０４とのビームフォーミング１８２を利用し得る。
【００２４】
[0045]  基地局１８０は、１つ以上の送信方向１８２’において、ＵＥ１０４にビームフォーミングされた信号を送信し得る。ＵＥ１０４は、１つ以上の受信方向１８２’’において、基地局１８０からビームフォーミングされた信号を受信し得る。ＵＥ１０４はまた、１つ以上の送信方向において、基地局１８０にビームフォーミングされた信号を送信し得る。基地局１８０は、１つ以上の受信方向において、ＵＥ１０４からビームフォーミングされた信号を受信し得る。基地局１８０／ＵＥ１０４は、基地局１８０／ＵＥ１０４の各々についての最良の受信および送信方向を決定するために、ビームトレーニングを行い得る。基地局１８０についての送信方向および受信方向は、同じであることも、同じでないこともある。ＵＥ１０４についての送信方向および受信方向は、同じであることも、同じでないこともある。
【００２５】
[0046]  ＥＰＣ１６０は、モビリティ管理エンティティ（ＭＭＥ：Mobility Management Entity）１６２、他のＭＭＥ１６４、サービングゲートウェイ１６６、マルチメディアブロードキャストマルチキャストサービス（ＭＢＭＳ）ゲートウェイ１６８、ブロードキャストマルチキャストサービスセンター（ＢＭ−ＳＣ：Broadcast Multicast Service Center）１７０、およびパケットデータネットワーク（ＰＤＮ：Packet Data Network）ゲートウェイ１７２を含み得る。ＭＭＥ１６２は、ホーム加入者サーバ（ＨＳＳ：Home Subscriber Server）１７４と通信状態にあり得る。ＭＭＥ１６２は、ＵＥ１０４とＥＰＣ１６０との間でのシグナリングを処理する制御ノードである。一般に、ＭＭＥ１６２は、ベアラおよび接続管理を提供する。全てのユーザインターネットプロトコル（ＩＰ）パケットは、サービングゲートウェイ１６６を通じて転送され、それ自体は、ＰＤＮゲートウェイ１７２に接続される。ＰＤＮゲートウェイ１７２は、ＵＥ ＩＰアドレス割り振り並びに他の機能を提供する。ＰＤＮゲートウェイ１７２およびＢＭ−ＳＣ１７０は、ＩＰサービス１７６に接続される。ＩＰサービス１７６は、インターネット、イントラネット、ＩＰマルチメディアサブシステム（ＩＭＳ：IP Multimedia Subsystem）、ＰＳストリーミングサービス、および／または他のＩＰサービスを含み得る。ＢＭ−ＳＣ１７０は、ＭＢＭＳユーザサービスプロビジョニングおよび配信のための機能を提供し得る。ＢＭ−ＳＣ１７０は、コンテンツプロバイダＭＢＭＳ送信のためのエントリポイントとしての役割を果たし得、公衆陸上モバイルネットワーク（ＰＬＭＮ：public land mobile network）内でＭＢＭＳベアラサービスを認可および開始するために使用され得、ＭＢＭＳ送信をスケジューリングするために使用され得る。ＭＢＭＳゲートウェイ１６８は、特定のサービスをブロードキャストするマルチキャストブロードキャスト単一周波数ネットワーク（ＭＢＳＦＮ：Multicast Broadcast Single Frequency Network）エリアに属する基地局１０２にＭＢＭＳトラフィックを分配するために使用され得、セッション管理（開始／停止）と、ｅＭＢＭＳに関連する課金情報（charging information）を収集することとを担い得る。
【００２６】
[0047]  ５ＧＣ１９０は、アクセスおよびモビリティ管理機能（ＡＭＦ：Mobility Management Function）１９２、他のＡＭＦ１９３、セッション管理機能（ＳＭＦ：Session Management Function）１９４、およびユーザプレーン機能（ＵＰＦ：User Plane Function）１９５を含み得る。ＡＭＦ１９２は、統一データ管理（ＵＤＭ：Unified Data Management）１９６と通信状態にあり得る。ＡＭＦ１９２は、ＵＥ１０４と５ＧＣ１９０との間でのシグナリングを処理する制御ノードである。一般に、ＡＭＦ１９２は、ＱｏＳフローおよびセッション管理を提供する。全てのユーザインターネットプロトコル（ＩＰ）パケットは、ＵＰＦ１９５を通じて転送される。ＵＰＦ１９５は、ＵＥ ＩＰアドレス割り振り並びに他の機能を提供する。ＵＰＦ１９５は、ＩＰサービス１９７に接続される。ＩＰサービス１９７は、インターネット、イントラネット、ＩＰマルチメディアサブシステム（ＩＭＳ：IP Multimedia Subsystem）、ＰＳストリーミングサービス、および／または他のＩＰサービスを含み得る。
【００２７】
[0048]  基地局はまた、ｇＮＢ、ノードＢ、発展型ノードＢ（ｅＮＢ）、アクセスポイント、ベーストランシーバ局、無線基地局、無線トランシーバ、トランシーバ機能、基本サービスセット（ＢＳＳ：basic service set）、拡張サービスセット（ＥＳＳ：extended service set）、送受信ポイント（ＴＲＰ：transmit reception point）、または何らかの他の適した専門用語で呼ばれ得る。基地局１０２は、ＵＥ１０４に対してＥＰＣ１６０または５ＧＣ１９０へのアクセスポイントを提供する。ＵＥ１０４の例は、セルラ電話、スマートフォン、セッション開始プロトコル（ＳＩＰ：session initiation protocol）電話、ラップトップ、携帯情報端末（ＰＤＡ）、衛星ラジオ、全地球測位システム、マルチメディアデバイス、ビデオデバイス、デジタルオーディオプレーヤ（例えば、ＭＰ３プレーヤ）、カメラ、ゲームコンソール、タブレット、スマートデバイス、ウェアラブルデバイス、ビークル、電気メータ、ガスポンプ、大型若しくは小型キッチンアプライアンス、ヘルスケアデバイス、インプラント、センサ／アクチュエータ、ディスプレイ、または任意の他の同様の機能デバイスを含む。ＵＥ１０４のうちのいくつかは、ＩｏＴデバイス（例えば、パーキングメータ、ガスポンプ、トースタ、ビークル、心臓モニタ、等）と呼ばれ得る。ＵＥ１０４はまた、局、モバイル局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適した専門用語で呼ばれ得る。
【００２８】
[0049]  図１を再び参照すると、ある特定の態様において、基地局１８０は、ＵＥがＤＲＸモードまたはｅＤＲＸモードのうちの１つにあるというインジケーションをＣＮＥ、例えば、ＭＭＥから受信し得、基地局１８０は、ＤＲＸモードまたはｅＤＲＸモードに対応するＵＥ１０４のためのＷＵＳモードを構成するように構成されたＷＵＳコンポーネント１９８を備え得る。例えば、基地局１８０は、ＤＲＸモードのためのＷＵＳを構成し得る。別の例において、基地局１８０は、ｅＤＲＸモードのためのＷＵＳを構成し得る。いくつかの態様において、ＵＥ１０４は、ＤＲＸモードまたはｅＤＲＸモードのうちの１つのためのＷＵＳ構成を基地局１８０から受信するように構成されたＷＵＳコンポーネント１９９ａを備え得る。ある特定の態様において、ＵＥは、ＲＲＭコンポーネント１９９ｂを備え得る。ＵＥ１０４は、第１のセルとの緩和された無線ＲＲＭ測定に入り得、ここで、緩和されたＲＲＭ測定は、１つよりも多くのＤＲＸサイクルにわたって単一のＲＲＭ測定を備える。緩和されたＲＲＭ測定をサポートする第２のセルを再選択すると、ＵＥ１０４は、ある時間期間にわたって通常のＲＲＭ測定に戻り、ここで、通常のＲＲＭ測定は、各ＤＲＸサイクルにわたって１つのＲＲＭ測定を備える。ある特定の態様において、ＵＥは、再選択コンポーネント１９９ｃを備え得る。ＵＥ１０４は、第１のセルとのＷＵＳモードを備えるＤＲＸモードまたはｅＤＲＸモードに入り得る。ＷＵＳモードをサポートする第２のセルを再選択すると、ＵＥ１０４は、ある時間期間にわたってＷＵＳモードを伴わずにＤＲＸモードまたはｅＤＲＸモードに戻る。
【００２９】
[0050]  図２Ａは、５Ｇ／ＮＲフレーム構造内の第１のサブフレームの例を例示する図２００である。図２Ｂは、５Ｇ／ＮＲサブフレーム内のＤＬチャネルの例を例示する図２３０である。図２Ｃは、５Ｇ／ＮＲフレーム構造内の第２のサブフレームの例を例示する図２５０である。図２Ｄは、５Ｇ／ＮＲサブフレーム内のＵＬチャネルの例を例示する図２８０である。５Ｇ／ＮＲフレーム構造は、サブキャリアの特定のセット（キャリアシステム帯域幅）について、サブキャリアのセット内のサブフレームがＤＬまたはＵＬのうちのいずれかに専用であるＦＤＤであり得るか、またはサブキャリアの特定のセット（キャリアシステム帯域幅）について、サブキャリアのセット内のサブフレームがＤＬとＵＬとの両方に専用であるＴＤＤであり得る。図２Ａ、図２Ｃによって提供される例において、５Ｇ／ＮＲフレーム構造は、ＴＤＤであると仮定され、サブフレーム４は、スロットフォーマット２８（大部分がＤＬ）で構成され、ここで、Ｄは、ＤＬであり、Ｕは、ＵＬであり、Ｘは、ＤＬ／ＵＬ間での使用のためにフレキシブルであり、サブフレーム３は、スロットフォーマット３４（大部分がＵＬ）で構成される。サブフレーム３、４は、それぞれ、スロットフォーマット３４、２８を用いて示されるが、どの特定のサブフレームも、様々な利用可能なスロットフォーマット０〜６１のうちの任意のもので構成され得る。スロットフォーマット０、１は、それぞれ、全てＤＬ、ＵＬである。他のスロットフォーマット２〜６１は、ＤＬ、ＵＬ、およびフレキシブルシンボルの混合を含む。ＵＥは、受信されたスロットフォーマットインジケータ（ＳＦＩ：slot format indicator）を通じて（ＤＬ制御情報（ＤＣＩ：DL control information）を通じて動的に、または無線リソース制御（ＲＲＣ：radio resource control）シグナリングを通じて半静的／静的に）スロットフォーマットで構成される。以下の説明は、ＴＤＤである５Ｇ／ＮＲフレーム構造にも当てはまることに留意されたい。
【００３０】
[0051]  他のワイヤレス通信技術は、異なるフレーム構造および／または異なるチャネルを有し得る。フレーム（１０ｍｓ）は、１０個の等しいサイズのサブフレーム（１ｍｓ）に分割され得る。各サブフレームは、１つまたは複数のタイムスロットを含み得る。サブフレームはまた、ミニスロットを含み得、それらは、７、４、または２つのシンボルを含み得る。各スロットは、スロット構成に応じて、７または１４個のシンボルを含み得る。スロット構成０の場合、各スロットは、１４個のシンボルを含み得、スロット構成１の場合、各スロットは、７つのシンボルを含み得る。ＤＬ上のシンボルは、サイクリックプレフィックス（ＣＰ：cyclic prefix）ＯＦＤＭ（ＣＰ−ＯＦＤＭ）シンボルであり得る。ＵＬ上のシンボルは、ＣＰ−ＯＦＤＭシンボル（高スループットシナリオの場合）または離散フーリエ変換（ＤＦＴ：discrete Fourier transform）拡散ＯＦＤＭ（ＤＦＴ−ｓ−ＯＦＤＭ：ＤＦＴspread OFDM）シンボル（シングルキャリア周波数分割多元接続（ＳＣ−ＦＤＭＡ）シンボルとも呼ばれる）（電力制限シナリオの場合、単一ストリーム送信に制限される）であり得る。サブフレーム内のスロットの数は、スロット構成およびヌメロロジに基づく。スロット構成０の場合、異なるヌメロロジμ０〜５は、サブフレーム毎に、それぞれ、１、２、４、８、１６、および３２個のスロットを許容する。スロット構成１の場合、異なるヌメロロジ０〜２は、サブフレーム毎に、それぞれ、２、４、および８つのスロットを許容する。それ故に、スロット構成０およびヌメロロジμの場合、１４個のシンボル／スロットおよび２μ個のスロット／サブフレームがある。サブキャリア間隔およびシンボル長／持続時間は、ヌメロロジの関数である。サブキャリア間隔は、２μ＊１５ｋＫｚに等しくあり得、ここで、μは、ヌメロロジ０〜５である。そのため、ヌメロロジμ＝０は、１５ｋＨｚのサブキャリア間隔を有し、ヌメロロジμ＝５は、４８０ｋＨｚのサブキャリア間隔を有する。シンボル長／持続時間は、サブキャリア間隔に反比例する。図２Ａ〜２Ｄは、スロット毎に１４個のシンボルを有するスロット構成０、およびサブフレーム毎に１つのスロットを有するヌメロロジμ＝０の例を提供する。サブキャリア間隔は、１５ｋＨｚであり、シンボル持続時間は、約６６．７μｓである。
【００３１】
[0052]  フレーム構造を表すために、リソースグリッドが使用され得る。各タイムスロットは、１２個の連続するサブキャリアを拡張するリソースブロック（ＲＢ：resource block）（物理ＲＢ（ＰＲＢ：physical RB）とも呼ばれる）を含む。リソースグリッドは、複数のリソース要素（ＲＥ：resource element）に分割される。各ＲＥによって搬送されるビットの数は、変調スキームに依存する。
【００３２】
[0053]  図２Ａに例示されるように、ＲＥのうちのいくつかは、ＵＥのための基準（パイロット）信号（ＲＳ：reference signals）を搬送する。ＲＳは、ＵＥにおけるチャネル推定のための復調ＲＳ（ＤＭ−ＲＳ：demodulation RS）（１００ｘがポート番号である１つの特定の構成についてＲxとして示されるが、他のＤＭ−ＲＳ構成が可能である）とチャネル状態情報基準信号（ＣＳＩ−ＲＳ：channel state information reference signal）とを含み得る。ＲＳはまた、ビーム測定ＲＳ（ＢＲＳ：beam measurement RS）、ビーム調整ＲＳ（ＢＲＲＳ：beam refinement RS）、および位相追跡ＲＳ（ＰＴ−ＲＳ：phase tracking RS）を含み得る。
【００３３】
[0054]  図２Ｂは、フレームのサブフレーム内の様々なＤＬチャネルの例を例示する。物理ダウンリンク制御チャネル（ＰＤＣＣＨ：physical downlink control channel）は、１つまたは複数の制御チャネル要素（ＣＣＥ：control channel element）内のＤＣＩを搬送し、各ＣＣＥは、９つのＲＥグループ（ＲＥＧ：RE group）を含み、各ＲＥＧは、ＯＦＤＭシンボル中に４つの連続するＲＥを含む。プライマリ同期信号（ＰＳＳ：primary synchronization signal）は、フレームの特定のサブフレームのシンボル２内にあり得る。ＰＳＳは、サブフレーム／シンボルタイミングおよび物理レイヤアイデンティティを決定するためにＵＥ１０４によって使用される。セカンダリ同期信号（ＳＳＳ：secondary synchronization signal）は、フレームの特定のサブフレームのシンボル４内にあり得る。ＳＳＳは、物理レイヤセルアイデンティティグループ番号および無線フレームタイミングを決定するためにＵＥによって使用される。物理レイヤアイデンティティおよび物理レイヤセルアイデンティティグループ番号に基づいて、ＵＥは、物理セル識別子（ＰＣＩ：physical cell identifier）を決定できる。ＰＣＩに基づいて、ＵＥは、前述されたＤＭ−ＲＳのロケーションを決定できる。マスタ情報ブロック（ＭＩＢ：master information block）を搬送する物理ブロードキャストチャネル（ＰＢＣＨ：physical broadcast channel）は、同期信号（ＳＳ：synchronization signal）／ＰＢＣＨブロックを形成するために、ＰＳＳおよびＳＳＳと共に論理的にグループ化され得る。ＭＩＢは、システム帯域幅中のＲＢの数、およびシステムフレーム番号（ＳＦＮ：system frame number）を提供する。物理ダウンリンク共有チャネル（ＰＤＳＣＨ：physical downlink shared channel）は、ページングメッセージ、システム情報ブロック（ＳＩＢ：system information block）などのＰＢＣＨを通じて送信されないブロードキャストシステム情報、およびユーザデータを搬送する。
【００３４】
[0055]  図２Ｃに例示されるように、ＲＥのうちのいくつかは、基地局におけるチャネル推定のためのＤＭ−ＲＳ（１つの特定の構成についてＲとして示されるが、他のＤＭ−ＲＳ構成が可能である）を搬送する。ＵＥは、物理アップリンク制御チャネル（ＰＵＣＣＨ：physical uplink control channel）のためのＤＭ−ＲＳと、物理アップリンク共有チャネル（ＰＵＳＣＨ：physical uplink shared channel）のためのＤＭ−ＲＳとを送信し得る。ＰＵＳＣＨ ＤＭ−ＲＳは、ＰＵＳＣＨの最初の１つまたは２つのシンボル中で送信され得る。ＰＵＣＣＨ ＤＭ−ＲＳは、短いＰＵＣＣＨが送信されるか、または長いＰＵＣＣＨが送信されるかに応じて、および使用される特定のＰＵＣＣＨフォーマットに応じて、異なる構成で送信され得る。示されないが、ＵＥは、サウンディング基準信号（ＳＲＳ：sounding reference signal）を送信し得る。ＳＲＳは、ＵＬ上での周波数依存スケジューリングを可能にするためのチャネル品質推定のために基地局によって使用され得る。
【００３５】
[0056]  図２Ｄは、フレームのサブフレーム内の様々なＵＬチャネルの例を例示する。ＰＵＣＣＨは、１つの構成中に示されるようにロケートされ得る。ＰＵＣＣＨは、ＨＡＲＱ ＡＣＫ／ＮＡＣＫフィードバック、ランクインジケータ（ＲＩ：rank indicator）、プリコーディング行列インジケータ（ＰＭＩ：precoding matrix indicator）、チャネル品質インジケータ（ＣＱＩ：channel quality indicator）、およびスケジューリング要求などのアップリンク制御情報（ＵＣＩ：uplink control information）を搬送する。ＰＵＳＣＨは、データを搬送し、加えて、バッファ状態レポート（ＢＳＲ：buffer status report）、電力ヘッドルームレポート（ＰＨＲ：power headroom report）、および／またはＵＣＩを搬送するために使用され得る。
【００３６】
[0057]  図３は、アクセスネットワーク中でＵＥ３５０と通信状態にある基地局３１０のブロック図である。ＤＬでは、ＥＰＣ１６０からのＩＰパケットが、コントローラ／プロセッサ３７５に提供され得る。コントローラ／プロセッサ３７５は、レイヤ３およびレイヤ２の機能を実現する。レイヤ３は、無線リソース制御（ＲＲＣ：radio resource control）レイヤを含み、レイヤ２は、パケットデータコンバージェンスプロトコル（ＰＤＣＰ：packet data convergence protocol）レイヤ、無線リンク制御（ＲＬＣ：radio link control）レイヤ、および媒体アクセス制御（ＭＡＣ：medium access control）レイヤを含む。コントローラ／プロセッサ３７５は、システム情報（例えば、ＭＩＢ、ＳＩＢ）のブロードキャスティング、ＲＲＣ接続制御（例えば、ＲＲＣ接続ページング、ＲＲＣ接続確立、ＲＲＣ接続修正、およびＲＲＣ接続解放）、無線アクセス技術（ＲＡＴ：radio access technology）間モビリティ、およびＵＥ測定レポーティングのための測定構成に関連付けられたＲＲＣレイヤの機能と、ヘッダ圧縮／解凍、セキュリティ（暗号化、暗号解読、インテグリティ保護、インテグリティ検証）、およびハンドオーバサポート機能に関連付けられたＰＤＣＰレイヤの機能と、上位レイヤパケットデータユニット（ＰＤＵ：packet data unit）の転送、ＡＲＱを通じた誤り訂正、ＲＬＣサービスデータユニット（ＳＤＵ：service data unit）の連結、セグメント化、およびリアセンブリ、ＲＬＣデータＰＤＵの再セグメント化、およびＲＬＣデータＰＤＵの再順序付けに関連付けられたＲＬＣレイヤの機能と、論理チャネルとトランスポートチャネルとの間でのマッピング、トランスポートブロック（ＴＢ：transport block）上へのＭＡＣ ＳＤＵの多重化、ＴＢからのＭＡＣ ＳＤＵの逆多重化、スケジューリング情報レポーティング、ＨＡＲＱを通じた誤り訂正、優先度処理（priority handling）、および論理チャネル優先順位付けに関連付けられたＭＡＣレイヤの機能とを提供する。
【００３７】
[0058]  送信（ＴＸ：transmit）プロセッサ３１６および受信（ＲＸ：receive）プロセッサ３７０は、様々な信号処理機能に関連付けられたレイヤ１の機能を実現する。物理（ＰＨＹ：physical）レイヤを含むレイヤ１は、トランスポートチャネル上での誤り検出、トランスポートチャネルの前方誤り訂正（ＦＥＣ：forward error correction）コーディング／復号、インタリービング、レートマッチング、物理チャネル上へのマッピング、物理チャネルの変調／復調、およびＭＩＭＯアンテナ処理を含み得る。ＴＸプロセッサ３１６は、様々な変調スキーム（例えば、２位相偏移変調（ＢＰＳＫ）、４位相偏移変調（ＱＰＳＫ）、Ｍ位相偏移変調（Ｍ−ＰＳＫ）、Ｍ値直交振幅変調（Ｍ−ＱＡＭ））に基づいて信号コンステレーションにマッピングすることを処理する。コーディングおよび変調されたシンボルは次いで、並列ストリームに分けられ得る。各ストリームは次いで、ＯＦＤＭサブキャリアにマッピングされ、時間および／または周波数ドメイン中で基準信号（例えば、パイロット）と多重化され、次いで、逆高速フーリエ変換（ＩＦＦＴ：Inverse Fast Fourier Transform）を使用して共に組み合わされて、時間ドメインＯＦＤＭシンボルストリームを搬送する物理チャネルが生成され得る。ＯＦＤＭストリームは、複数の空間ストリームを生成するために空間的にプリコーディングされる。チャネル推定器３７４からのチャネル推定値は、コーディングおよび変調スキームを決定するために、並びに空間処理のために使用され得る。チャネル推定値は、ＵＥ３５０によって送信されたチャネル条件フィードバックおよび／または基準信号から導出され得る。各空間ストリームは次いで、別個の送信機３１８ＴＸを介して異なるアンテナ３２０に提供され得る。各送信機３１８ＴＸは、送信用のそれぞれの空間ストリームを用いてＲＦキャリアを変調し得る。
【００３８】
[0059]  ＵＥ３５０において、各受信機３５４ＲＸは、そのそれぞれのアンテナ３５２を通じて信号を受信する。各受信機３５４ＲＸは、ＲＦキャリア上に変調された情報を復元し、受信（ＲＸ）プロセッサ３５６にその情報を提供する。ＴＸプロセッサ３６８およびＲＸプロセッサ３５６は、様々な信号処理機能に関連付けられたレイヤ１の機能を実現する。ＲＸプロセッサ３５６は、ＵＥ３５０に宛てられた任意の空間ストリームを復元するために、情報に対して空間処理を実行し得る。複数の空間ストリームがＵＥ３５０に宛てられる場合、それらは、ＲＸプロセッサ３５６によって単一のＯＦＤＭシンボルストリームに組み合わされ得る。ＲＸプロセッサ３５６は次いで、高速フーリエ変換（ＦＦＴ：Fast Fourier Transform）を使用して、時間ドメインから周波数ドメインにＯＦＤＭシンボルストリームを変換する。周波数ドメイン信号は、ＯＦＤＭ信号の各サブキャリアについて別個のＯＦＤＭシンボルストリームを備える。各サブキャリア上のシンボル、および基準信号は、基地局３１０によって送信された最も可能性の高い信号コンステレーションポイントを決定することによって復元および復調される。これら軟判定は、チャネル推定器３５８によって計算されたチャネル推定値に基づき得る。軟判定は次いで、物理チャネル上で基地局３１０によって当初送信されたデータおよび制御信号を復元するために、復号およびデインターリーブされる。データおよび制御信号は次いで、レイヤ３およびレイヤ２の機能を実現するコントローラ／プロセッサ３５９に提供される。
【００３９】
[0060]  コントローラ／プロセッサ３５９は、プログラムコードおよびデータを記憶するメモリ３６０に関連付けられることができる。メモリ３６０は、コンピュータ可読媒体と呼ばれ得る。ＵＬにおいて、コントローラ／プロセッサ３５９は、ＥＰＣ１６０からのＩＰパケットを復元するために、トランスポートチャネルと論理チャネルとの間での逆多重化、パケットのリアセンブリ、暗号解読、ヘッダ解凍、および制御信号処理を提供する。コントローラ／プロセッサ３５９はまた、ＨＡＲＱ動作をサポートするために、ＡＣＫおよび／またはＮＡＣＫプロトコルを使用する誤り検出を担う。
【００４０】
[0061]  基地局３１０によるＤＬ送信に関連して説明された機能と同様に、コントローラ／プロセッサ３５９は、システム情報（例えば、ＭＩＢ、ＳＩＢ）獲得、ＲＲＣ接続、および測定レポーティングに関連付けられたＲＲＣレイヤの機能と、ヘッダ圧縮／解凍、およびセキュリティ（暗号化、暗号解読、インテグリティ保護、インテグリティ検証）に関連付けられたＰＤＣＰレイヤの機能と、上位レイヤＰＤＵの転送、ＡＲＱを通じた誤り訂正、ＲＬＣ ＳＤＵの連結、セグメント化、およびリアセンブリ、ＲＬＣデータＰＤＵの再セグメント化、およびＲＬＣデータＰＤＵの再順序付けに関連付けられたＲＬＣレイヤの機能と、論理チャネルとトランスポートチャネルとの間でのマッピング、ＴＢ上へのＭＡＣ ＳＤＵの多重化、ＴＢからのＭＡＣ ＳＤＵの逆多重化、スケジューリング情報レポーティング、ＨＡＲＱを通じた誤り訂正、優先度処理、および論理チャネル優先順位付けに関連付けられたＭＡＣレイヤの機能とを提供する。
【００４１】
[0062]  基地局３１０によって送信されたフィードバックまたは基準信号からチャネル推定器３５８によって導出されたチャネル推定値は、適切なコーディングおよび変調スキームを選択することと、空間処理を容易にすることとを行うために、ＴＸプロセッサ３６８によって使用され得る。ＴＸプロセッサ３６８によって生成された空間ストリームは、別個の送信機３５４ＴＸを介して異なるアンテナ３５２に提供され得る。各送信機３５４ＴＸは、送信用のそれぞれの空間ストリームを用いてＲＦキャリアを変調し得る。
【００４２】
[0063]  ＵＬ送信は、ＵＥ３５０における受信機機能に関連して説明されたのと同様の方法で基地局３１０において処理される。各受信機３１８ＲＸは、そのそれぞれのアンテナ３２０を通じて信号を受信する。各受信機３１８ＲＸは、ＲＦキャリア上に変調された情報を復元し、ＲＸプロセッサ３７０にその情報を提供する。
【００４３】
[0064]  コントローラ／プロセッサ３７５は、プログラムコードおよびデータを記憶するメモリ３７６に関連付けられることができる。メモリ３７６は、コンピュータ可読媒体と呼ばれ得る。ＵＬにおいて、コントローラ／プロセッサ３７５は、ＵＥ３５０からのＩＰパケットを復元するために、トランスポートチャネルと論理チャネルとの間での逆多重化、パケットのリアセンブリ、暗号解読、ヘッダ解凍、制御信号処理を提供する。コントローラ／プロセッサ３７５からのＩＰパケットは、ＥＰＣ１６０に提供され得る。コントローラ／プロセッサ３７５はまた、ＨＡＲＱ動作をサポートするために、ＡＣＫおよび／またはＮＡＣＫプロトコルを使用する誤り検出を担う。
【００４４】
[0065]  図４は、ＵＥ４０４と通信状態にある基地局４０２を例示する図４００である。図４を参照すると、基地局４０２は、方向４０２ａ、４０２ｂ、４０２ｃ、４０２ｄ、４０２ｅ、４０２ｆ、４０２ｇ、４０２ｈのうちの１つ以上において、ＵＥ４０４にビームフォーミングされた信号を送信し得る。ＵＥ４０４は、１つ以上の受信方向４０４ａ、４０４ｂ、４０４ｃ、４０４ｄにおいて、基地局４０２からビームフォーミングされた信号を受信し得る。ＵＥ４０４はまた、方向４０４ａ〜４０４ｄのうちの１つ以上において、基地局４０２にビームフォーミングされた信号を送信し得る。基地局４０２は、受信方向４０２ａ〜４０２ｈのうちの１つ以上において、ＵＥ４０４からビームフォーミングされた信号を受信し得る。基地局４０２／ＵＥ４０４は、基地局４０２／ＵＥ４０４の各々についての最良の受信および送信方向を決定するために、ビームトレーニングを行い得る。基地局４０２についての送信方向および受信方向は、同じであることも、同じでないこともある。ＵＥ４０４についての送信方向および受信方向は、同じであることも、同じでないこともある。
【００４５】
[0066]  ＤＲＸモードでは、ＵＥが、図２１Ａに例示されるように、ＤＲＸサイクル２１０６を使用し得る。ＤＲＸサイクルは、ＵＥがスリープモードに、または基地局からの通信を検出することなく無線周波数（ＲＦ：radio frequency）機能をシャットダウンすることによってＵＥが電力消費を低減する低減電力モードに入るスリープ部分２１０４が後続するページング機会（ＰＯ：Paging Occasion）２１０２を含み得る。ＤＲＸサイクルの終わりに、ＵＥは、次のＰＯのためにウェイクアップし得る。ｅＤＲＸモードにおいて、ＵＥは、図２１Ｂに例示されるように、ＵＥが複数のＤＲＸサイクル２１０６にわたってスリープモードに留まるｅＤＲＸサイクル２１０８を採用し得る。ＵＥは、ページング送信ウィンドウ（ＰＴＷ：paging transmission window）２１１２内のＰＯ２１０２中にページングについてリッスンし得、ページングが受信されない場合、ＵＥは、ＵＥが複数のＰＯのためにウェイクアップしない拡張スリープ２１１０に入り得る。
【００４６】
[0067]  図５は、モビリティ管理エンティティ５０６（ＭＭＥ）と基地局５０２とＵＥ５０４との間の通信の例を例示する図である。ＵＥがＲＲＣ＿ＣＯＮＮＥＣＴＥＤ状態にある場合、ＵＥは、基地局内のセルレベルで知られ、基地局は、ＵＥ情報を記憶している。ＵＥがＲＲＣ＿ＩＤＬＥ状態にある場合、ＵＥは、基地局内のセルレベルで未知である。基地局の代わりに、ＭＭＥが、ＵＥ情報を記憶する。ＵＥに追加の電力節約を提供するＷＵＳモードは、ネットワークによって有効／無効にされ得る。ＤＲＸにおいて、基地局は、単一のＤＲＸサイクル中でＰＯを監視するかどうかをＵＥ５０４に通知するために、ＵＥ５０４にＷＵＳを送信し得る。ｅＤＲＸでは、ＵＥ５０４の観点から、デフォルトＵＥ構成が、ＷＵＳモードとＰＯとの間での１対１マッピングに基づき得る。ＰＯ毎に、ＰＯ中にページングがあるとき、ＵＥに送信されるＷＵＳがあるであろう。ＷＵＳは、ＷＵＳの最大長の終わりと関連するＰＯとの間の時間間隔またはギャップを伴って、関連するＰＯの前に、ＵＥ５０４に送られるであろう。ＰＯ中にＵＥのためのページングがない場合、ＷＵＳは、ＵＥに送信されないであろう。このことから、ＵＥはまず、ＷＵＳを検出することを試み得る。ＵＥがＷＵＳを検出した場合、ＵＥは、基地局からの更なる通信についてリッスンするために、ＰＯ中にアウェイク（awake）のままであり得る。そうでない場合、ＵＥは、ＰＯ中に検出するプロセスをスキップし、スリープモードに戻るであろう。ＷＵＳモードを使用することによって、ＵＥは、電力を節約し得る。ｅＤＲＸにおける追加のＷＵＳ構成は、ＷＵＳモードとＰＯとの間での１対Ｎマッピングを含み得る。例えば、１つのＷＵＳは、Ｎ個のＰＯ毎に１回だけＵＥに送信され得る。ＵＥがＷＵＳを検出しないとき、ＵＥは、次のＷＵＳ送信のための時間までＮ個のＰＯのためにスリープに戻り得る。ＵＥがＷＵＳを検出するとき、ＵＥは、基地局からのページングを検出するために、後続のＮ個のＰＯ（１つ以上）を監視し得る。このように、ＵＥは、１対１ＷＵＳ構成で提供される電力節約を超えて追加の電力を節約し得る。ｅＤＲＸのためのＷＵＳ設計および構成は、ＵＥページング応答時間要件を満たすように、ネットワークがｅＤＲＸサイクルにわたってＰＴＷ内でＵＥに到達することを可能にするように構成され得る。
【００４７】
[0068]  ＮＢ−ＩｏＴまたはｅＭＴＣでは、例えば、ＷＵＳモードのために構成されたＵＥが、ＲＲＭ測定をＭ個の数のＤＲＸサイクル毎に１回に緩和し得る。これは、少なくとも低モビリティＵＥに有用であり得る。通常のＲＲＭ測定の場合、ＵＥ５０４は、ＤＲＸサイクル毎にＲＲＭ測定を行うように構成され得る。ＵＥの電力を節約するＲＲＭ測定緩和は、ネットワークによって有効／無効にされ得る。ＷＵＳは、緩和されたＲＲＭ測定が無効にされるときに、ネットワークによって依然として有効にされ得る。これは、ランダムアクセスプロシージャ／電力制御／ＣＥレベル選択の変更も、ランダムアクセスプロシージャに関連する要件の緩和も暗示しないことがある。ＷＵＳは、Ｍ個の数のＤＲＸサイクルにわたって基地局と同期しないことから生じるタイミングおよび／または周波数オフセットまでの同期を提供し得る。例えば、緩和されたＲＲＭ測定構成はまた、ｅＤＲＸモードに適用され得る。各ＰＴＷ内で、ＵＥは、Ｍ個のＤＲＸサイクル毎に単一のＲＲＭ測定のみを行い得る。少なくともある値の持続時間またはＭ個のＤＲＸサイクル（Ｍ＞１）にわたる同期を可能にするＷＵＳ構成があり得る。ＲＲＭ測定が緩和されることになるＤＲＸサイクルの数Ｍは、固定され得るか、構成可能であり得るか、またはＤＲＸサイクルに依存し得る。例えば、ＵＥが同期のためにＷＵＳを使用し、サービングセル測定をスキップし得る連続するＤＲＸサイクルの最大数は、固定され得るか、構成可能であり得るか、またはＤＲＸサイクルに依存し得る。Ｍは、連続するＤＲＸサイクルの最大数以下であり得る。
【００４８】
[0069]  ｅＭＴＣでは、新しい周期的同期信号が、ＷＵＳ構成で構成されたＵＥに関連して使用され得る。新しい周期的同期信号は、構成可能（オフ／オン構成を含む）であり得る。同期信号は、追加の同期信号がＰＯのサブセットについてのＷＵＳ関連情報を提供できるか、またはＰＯのグループについてのＷＵＳ関連情報を提供できるかを示し得る。追加の同期信号がＷＵＳ関連情報を提供するとき、別個に構成され得る追加のＷＵＳ／ＤＴＸ信号があり得る。追加の同期信号がＷＵＳ関連情報を提供しないとき、追加のＷＵＳ／ＤＴＸ信号があり得る。例えば、システム情報変更通知があり得る。同様に、そのような新しい同期信号は、（例えば、ＰＳＭ状態を出た後に同期する必要があるＵＥによって）非ＷＵＳ目的のために使用され得る。例えば、新しい同期信号は、ＮＢ−ＩｏＴ ＷＵＳシーケンスを再使用できるか、または異なるシーケンスに基づき得る。
【００４９】
[0070]  図５は、ＤＲＸモードおよびｅＤＲＸモードのためのコアネットワークコンポーネントと基地局５０２とＵＥ５０４との間の通信のための実例的な構成５００を例示する。ＤＲＸモードは、ＲＡＴによって異なり得る。例として、ＵＥのためのＮＢ−ＩｏＴ ＤＲＸモードは、ＵＥのためのＭＴＣ ＤＲＸモードとは異なり得る。ＤＲＸモードは、ＮＢ−ＩｏＴについてはセル固有であり得るが、ＭＴＣについてはＵＥ固有であり得る。ＭＭＥ５０６などのコアネットワークエンティティは、各ＵＥ５０４についてのＤＲＸサイクルを決定し得る。ＭＭＥは、例えば、ＮＡＳシグナリングを介して、ＵＥにＤＲＸサイクル構成を通知し得る。ＭＭＥはまた、例えば、基地局５０２とコアネットワーク（ＣＮ：Core Network）との間のインターフェースであるＳ１インターフェースを介して、基地局５０２にＵＥのためのＤＲＸサイクルを通知し得る。デフォルトＤＲＸサイクルは、基地局によって構成され、システム情報（ＳＩ：System Information）、例えば、システム情報ブロック２（ＳＩＢ２：System Information Block 2）中でブロードキャストされ得る。
【００５０】
[0071]  ＤＲＸとは対照的に、ｅＤＲＸは、ＮＢ−ＩｏＴ ＵＥとｅＭＴＣ ＵＥとの両方についてＵＥ固有であり得る。ＭＭＥは、ＵＥ５０４がページング応答時間要件を満たすことができることを保証するために、ｅＤＲＸサイクルを決定し得る。ＭＭＥは、例えば、ＮＡＳシグナリングを介して、ＵＥにｅＤＲＸサイクル構成を通知し得る。ＭＭＥはまた、ＵＥ毎に、Ｓ１インターフェースを介して基地局５０２にｅＤＲＸサイクル構成を通知し得る。ＰＴＷは、図２１に例示されるように、ｅＤＲＸモードにあるＵＥ５０４がＰＯ中に通信を探索する時間ウィンドウである。ＰＴＷはまた、ＵＥ固有であり得る。ＭＭＥは、ＰＴＷ長を設定し得る。ＭＭＥは、例えば、ＮＡＳシグナリングを介して、ＵＥにＰＴＷサイクル構成を通知し得る。ＭＭＥは、例えば、Ｓ１インターフェースを介して、基地局５０２にＵＥのための選択されたＰＴＷを示し得る。
【００５１】
[0072]  ＤＲＸおよびｅＤＲＸのための異なるＷＵＳ構成をサポートする際に問題があり得る。ｅＤＲＸにおいて１対Ｎマッピングを構成すること、およびＵＥに構成を示す際に問題があり得る。更に、ＷＵＳに関連するパラメータは、ＤＲＸとｅＤＲＸとで異なり得る。ＤＲＸモードまたはｅＤＲＸモードにあるＵＥ５０４が新しいセルに移動するとき、追加の問題が生じ得る。ＲＲＭ測定の精度を保証するために、ＵＥ５０４の追加の構成が必要であり得る。
【００５２】
[0073]  図６は、ＤＲＸおよびｅＤＲＸのための異なるＷＵＳ構成をサポートするための実例的な解決策６００を例示するフロー図である。図６において、基地局６０２（例えば、基地局１０２、１８０、３１０、４０２、５０２、１２０２、１５０２、装置９０２）は、ＵＥ６０４（例えば、１０４、３５０、４０４、５０４、９０４、装置１２０４、１５０４）がそれぞれ６０３または６１３においてＤＲＸモードまたはｅＤＲＸモードのうちの１つにあるというインジケーションをコアネットワークエンティティ（ＣＮＥ：core network entity）６０１、例えば、モビリティ管理エンティティ（ＭＭＥ：mobility management entity）から受信し得る。基地局６０２は、６０５において、ＤＲＸモードに対応するＵＥ６０４のためのＷＵＳモードを構成し得るか、または６１５において、ｅＤＲＸモードに対応するＵＥ６０４のためのＷＵＳモードを構成し得る。ＵＥ６０４は、それぞれ６０９または６１９において、ＤＲＸモードまたはｅＤＲＸモードのうちの１つのためのＷＵＳ構成のパラメータ、例えば、セル固有パラメータを基地局６０２から受信し得る。ＵＥ６０４は、基地局６０２からの受信された構成に基づいて、ＰＯまたはいくつかのＰＯより前にＷＵＳを検出し得る。ＵＥ６０４は、それぞれ６０９または６１９において、ＤＲＸモードまたはｅＤＲＸモードのうちの１つのためのＷＵＳ構成のパラメータ、例えば、ＵＥ固有パラメータをＭＭＥ６０１から受信し得る。ＵＥ６０４は、ＭＭＥ６０１からの受信された構成に基づいて、ＰＯまたはいくつかのＰＯより前にＷＵＳを検出し得る。
【００５３】
[0074]  このことから、ＷＵＳは、ＵＥ６０４のための基地局６０２によって構成され得る。例えば、ＷＵＳは、ＵＥ６０４へのブロードキャストシグナリングを介して基地局６０２によって有効／無効にされ得る。ＷＵＳが有効にされている場合、ＷＵＳ能力を有するＵＥ６０４は、ＷＵＳモードにあると見なされ得る。基地局６０２は、ＷＵＳが有効にされるとき、ＤＲＸ／ｅＤＲＸのための異なるＷＵＳ構成をサポートし得る。最大ＷＵＳ持続時間は、セルカバレッジに依存し、例えば、ＮＰＤＣＣＨ／ＭＰＤＣＣＨの最大反復数によってスケーリングされる。それは、例えば、ＳＩＢ中で、基地局によってブロードキャストされる。ＷＵＳ送信の開始位置、並びに最大ＷＵＳ持続時間と関連するＰＯとの間のギャップは、基地局によって構成される。ＷＵＳ最大持続時間と関連するＰＯとの間のギャップについては、それは、ＷＵＳとＰＯとの間のＵＥ処理時間の最小要件を満たす必要がある。ＤＲＸおよびｅＤＲＸのための処理時間は異なる可能性があるので、ＤＲＸのための短いギャップおよび長いギャップｅＤＲＸが基地局によって構成され得る。ＭＭＥは、ＵＥ能力の情報を収集し、ＵＥ毎に必要とされるギャップのインジケーションを基地局に提供し得る。基地局側において、ＤＲＸのための時間ギャップは、ＤＲＸモードにあるＵＥのための最大必要時間ギャップよりも少なくとも大きくなるように選択され得る。ｅＤＲＸのためのギャップは、ｅＤＲＸモードにあるＵＥの最大要求ギャップよりも少なくとも大きくなるように選択され得る。
【００５４】
[0075]  例えば、基地局６０２は、６０３において、ＵＥ６０４がＤＲＸモードにあるというインジケーションをＣＮＥ６０１から受信し得る。基地局６０２は、６０６において、ＵＥのための各ページング機会のためにＷＵＳを含むようにＷＵＳモードを構成し得る。基地局６０２は、ＷＵＳとＰＯとの間での１対１マッピングを適用し得る。基地局６０２は、６０８において、ＵＥ６０４のためのＤＲＸサイクルと、ＵＥのためのＤＲＸサイクル毎に関連するページング機会を有するＷＵＳとを構成し得る。基地局６０２は、６０９において、ＵＥにＷＵＳをブロードキャストし得る。ＵＥ６０４は、６１０において、基地局からＤＲＸサイクル構成を受信し得る。ＷＵＳは、ＵＥ６０４のためのＤＲＸサイクル毎に関連するページング機会を有し得る。
【００５５】
[0076]  ＮＢ−ＩｏＴ ＵＥの場合、基地局６０２によって構成されるＤＲＸサイクルは、セル固有であり得る。ＵＥは、関連するページング機会において各構成されたＤＲＸサイクルにわたってＷＵＳを受信するように構成され得る。例として、時間的なＤＲＸサイクル長は、ＮＢ−ＩｏＴの場合、１．２８秒、２．５６秒、５．１２秒、または１０．２４秒であり得る。ＮＢ−ＩｏＴ ＤＲＸの場合、基地局６０２は、セルカバレッジに属するＵＥの最小ＤＲＸサイクルをセル固有のＤＲＸとして選び得る。ＵＥ６０４は、ＷＵＳが、関連するページング機会において各構成されたＤＲＸサイクルにわたって送信されることになると仮定し得る。
【００５６】
[0077]  ＭＴＣ ＵＥの場合、ＤＲＸサイクルは、ＭＴＣ ＵＥに固有であり得、ＵＥは、関連するページング機会において各構成されたＤＲＸサイクルにわたってＷＵＳを受信するように構成される。例として、時間的なＤＲＸサイクル長は、ＭＴＣの場合、０．３２秒、０．６４秒、１．２８秒、２．５６秒、５．１２秒、等であり得る。ＵＥ６０４は、ＷＵＳが、関連するページング機会において各構成されたＤＲＸサイクルにわたって送信されることになると仮定し得る。
【００５７】
[0078]  別の例として、基地局６０２は、６１３において、ＵＥ６０４がｅＤＲＸモードにあるというインジケーションをＣＮＥ６０１から受信し得る。基地局６０２は、６１６において、ＵＥ６０４のための複数のページング機会のために単一のＷＵＳを含むようにＷＵＳモードを構成し得る。基地局６０２は、ＷＵＳとＰＯとの間での１対Ｎマッピングを可能にし得、ここで、Ｎは、複数のページング機会の数である。
【００５８】
[0079]  例えば、単一のＷＵＳに対応する複数のページング機会の数は、セル固有であり得る。複数のページング機会の数、例えば、Ｎは、６１７に例示されるように、基地局６０２によって決定され得る。複数のページング機会の数Ｎは、システム情報ブロック（ＳＩＢ）中でＵＥ６０４にブロードキャストされ得る。複数のページング機会の構成された数はまた、基地局によってＣＮＥ６０１に示され得る。例えば、ｅＤＲＸサイクルは、ＮＢ−ＩｏＴ ＵＥの場合、２０．４８秒、４０．９６秒、．．．、または３時間であり得、ＭＴＣの場合、１０．２４秒、２０．４８秒、．．．、４４分であり得る。ＵＥ６０４は、６１４において、システム情報ブロック（ＳＩＢ）のブロードキャスト中で複数のページング機会の数のインジケーションを受信し得る。このように、複数のページング機会の構成されたセル固有の数は、ＵＥがより多くの利得を達成するのを助けるために、単純な値として設定され得る。ＵＥへのインジケーションもまた、単純であり得る。
【００５９】
[0080]  ＷＵＳは、ＰＴＷ内のＮ個のＰＯ毎に第１のＰＯの前に送られ得る。ＵＥがＷＵＳを見出さない場合、ＵＥは、Ｎ個のＰＯを監視することをスキップする。これは、ＵＥがスリープモードでより多くの時間を費やすことを可能にし、より大きな電力節約を提供する。そうでない場合、ＵＥは、Ｎ個のＰＯ持続時間内の可能なページングについて各ＰＯを監視する。ＷＵＳとＮ個の関連するＰＯのうちの第１のＰＯとの間のギャップは、基地局によって構成され得る。ｅＤＲＸのためのギャップはＤＲＸモードのギャップよりも大きい可能性があるので、ＵＥは、ＰＴＷ内のＮ個のＤＲＸサイクル毎にＷＵＳを探索するために早期にウェイクアップし得る。ＵＥがＷＵＳを検出した場合、ＵＥは、ページング検出について監視することに進み得る。代替として、基地局は、ＰＴＷ中の第１のＷＵＳのためのより長いギャップと、ＰＴＷ中の残りのＷＵＳのためのより短いギャップとを構成し得る。この例において、ＵＥは、第１のＷＵＳを検出するために早期にウェイクアップし得るが、ＰＴＷ中の残りのＷＵＳのためにはしない。ＵＥは、ＷＵＳの第１の検出とＰＴＷとの間の時間中に基地局からの通信について監視し得る。
【００６０】
[0081]  基地局は、１対Ｎ ＤＲＸマッピングがｅＤＲＸモードのために構成されるとき、ＰＴＷ中の最後のＮ個のＤＲＸサイクルの持続時間中にＷＵＳを検出せずとも直接ページングを検出することを試みるようにＵＥを構成し得る。ＵＥは、最後のＮ個のＰＯのうちの少なくとも１つ、例えば、最後のＰＯを選択し得るか、またはＰＴＷの終わりに近いＮ個のＰＯのうちの１つをランダムに選び得る。ＷＵＳを検出せずともページングについて監視することは、例えば、関連するＮ個のＰＯのための最後のＷＵＳとＰＴＷの終わりとの間にページングメッセージが到着する場合に生じ得る、ＵＥのページングの見逃しを回避するのに役立つことができる。
【００６１】
[0082]  構成されたセル固有のＮ個のＤＲＸサイクル、および／またはｅＤＲＸモードのためのギャップは、基地局のカバレッジ内のＵＥのための潜在的なページングレイテンシをネットワークに知らせるために、基地局からＭＭＥに示され得る。
【００６２】
[0083]  別の例として、単一のＷＵＳに対応する複数のページング機会の数は、ＵＥ固有であり得る。単一のＷＵＳに対応する複数のページング機会の数は、ＵＥ６０４のページング応答時間要件に基づき得る。
【００６３】
[0084]  例えば、複数のページング機会の数は、６２５において、ＵＥ応答時間要件に基づいてＣＮＥ６０１によって構成され得る。より大きいページング応答時間を有するＵＥの場合、複数のページング機会の数Ｎは、より大きい値に設定され得る。有利なことに、ＵＥは、より多くの電力を節約し、依然としてこのようにページングに追いつき得る。より小さいページング応答時間を有するＵＥの場合、複数のページング機会の数Ｎは、より小さい値に設定され得る。複数のページング機会の数は、６２７に例示されるように、Ｓ１インターフェースを介して基地局６０２に示され得る。ＣＮＥ６０１は、Ｓ１インターフェースを介して、ｅＤＲＸ構成およびＰＴＷと共に、ＵＥ固有のＮを基地局６０２に通知し得る。ＣＮＥ６０１はまた、例えば、ＮＡＳシグナリングを介して、ＤＲＸサイクルの構成された数をＵＥに通知する。別の例で、基地局６０２、ＣＮＥ６０１、およびＵＥは、６２８に例示されるように、事前定義されたルックアップテーブルに基づいて、複数のページング機会の数を決定し得る。ルックアップテーブルは、ＰＴＷ持続時間、ＤＲＸサイクル持続時間、および／またはｅＤＲＸサイクル持続時間のうちの少なくとも１つに基づき得る。ＰＴＷは、ＵＥ固有であり得る。例えば、ＰＴＷは、ＭＴＣ ＵＥの場合、１．２８秒、．．．、２０．４８秒であり得、ＮＢ−ＩｏＴ ＵＥの場合、２．５６秒、．．．、４０．９６秒であり得る。図７Ａおよび７Ｂは、ＮＢ−ＩｏＴまたはｅＭＴＣのためのいくつかの実例的なＰＴＷ長を例示する。例えば、ＣＮＥ６０１および基地局６０２は、ＰＴＷ持続時間、ＤＲＸサイクル長、および／またはｅＤＲＸサイクル長の事前定義されたルックアップテーブルに基づいて、複数のページング機会の数を算出し得る。別の例で、複数のページング機会の数は、事前定義されたルックアップテーブルに基づいて、ＣＮＥ６０１、基地局６０２、またはＵＥ６０４によって知られ得る。ＵＥ６０４は、６２９に例示されるように、例えば、ＮＡＳシグナリングを介してＣＮＥ６０１から、または、例えば、ＳＩＢを介して基地局から、事前定義されたルックアップテーブルに基づいて複数のページング機会の数のインジケーションを受信し得る。
【００６４】
[0085]  図７Ａおよび７Ｂは、それぞれＮＢ−ＩｏＴ ＵＥおよびｅＭＴＣ ＵＥのためのＰＴＷ長およびＤＲＸ／ｅＤＲＸサイクル長毎のＰＯの数を提供する実例的なルックアップテーブルを例示する。図７Ａおよび７Ｂは、ＰＴＷ持続時間とＤＲＸサイクル長との間の関係を例示する。図７Ａに示されるように、ＮＢ−ＩｏＴ ＵＥの場合、異なるＰＴＷ持続時間および異なるＤＲＸサイクルがあり得る。Ｔｍａｘは、ＵＥが同期のためにＷＵＳを使用し、サービングセル測定をスキップし得る、連続するＤＲＸサイクルの最大数の時間的な長さに対応し得る。Ｔｍａｘは、例えば、要求される応答時間レイテンシに基づいて構成され得るか、または、例えば、最大ＤＲＸサイクルとして事前定義され得る。Ｎ＊ＤＲＸサイクル長の最大持続時間が値Ｔｍａｘよりも小さい必要がある場合、Ｎの値は、Ｎ＝Ｔｍａｘ／ＤＲＸサイクル長として算出され得る。例えば、ＰＴＷが約４０．９６秒であり、ＤＲＸサイクルが約５．１２秒であるとき、ＤＲＸサイクルの対応する数は８であり、Ｔｍａｘ＝１０．２４の場合、複数のページング機会の数Ｎは２であり得る。ＰＴＷ内で必要とされるＷＵＳの数は、ＷＵＳの数＝ＰＴＷ長／Ｔｍａｘとして算出され得る。代替として、Ｔｍａｘは、暗示的に示され、例えば、ｅＤＲＸサイクルによってスケーリングされ得る。ページング応答時間についてのより低い要件は、より長いｅＤＲＸサイクルに対応し得るので、Ｎは、ＤＲＸサイクル、ＰＴＷ、およびｅＤＲＸサイクルの関数であり得る。図７Ａおよび７Ｂは、複数のページング機会の数とＵＥのパラメータとの間の関係を例示することのみを目的としている。値は、図７Ａおよび７Ｂの例における値とは異なり得る。
【００６５】
[0086]  図８は、ワイヤレス通信の方法のフローチャート８００である。方法は、ＣＮＥ、例えば、ＭＭＥ、およびＵＥ（例えば、ＵＥ１０４、３５０、４０４、５０４、９０４、装置１２０４、１５０４）と通信する基地局（例えば、基地局１０２、１８０、３１０、４０２、５０２、６０２、１２０２、１５０２、装置９０２）によって行われ得る。ワイヤレス通信は、本明細書で説明されるように、５Ｇ ＮＲ通信を備え得る。ワイヤレス通信は、ＮＢ−ＩｏＴ通信および／またはｅＭＴＣ通信を備え得る。オプションの態様は、破線を用いて例示される。
【００６６】
[0087]  ＵＥがＲＲＣ＿ＣＯＮＮＥＣＴＥＤ状態にある場合、基地局は、ＵＥの情報を記憶し得、例えば、ＵＥは、セルに知られ得る。ＵＥがＲＲＣ＿ＩＤＬＥ状態にある場合、ＵＥは、基地局内のセルレベルで知られていないことがある。ＭＭＥは、基地局の代わりにＵＥ情報を記憶し得る。ＵＥの電力を節約するＷＵＳモードは、ネットワークによって有効／無効にされ得る。ＷＵＳモードを使用することによって、ＵＥは、電力を節約し、通信信頼性を増大させ得る。方法は、例えば、ＤＲＸおよびｅＤＲＸのための異なるＷＵＳ構成をサポートする際の問題に対する解決策を提供する。
【００６７】
[0088]  ８０２において、基地局は、ＵＥがＤＲＸモードまたはｅＤＲＸモードのうちの１つにあるというインジケーションをネットワークエンティティ、例えば、ＣＮＥから受信する。ＣＮＥは、ＭＭＥを備え得る。例として、基地局は、ＵＥがＤＲＸモードにあるというインジケーションをＣＮＥから受信し得る。例えば、図６は、インジケーション６０３の例を例示する。別の例として、基地局は、ＵＥがｅＤＲＸモードにあるというインジケーションをＣＮＥ６０１から受信し得る。例えば、図６は、インジケーション６１３の例を例示する。
【００６８】
[0089]  ８０４において、基地局は、ＵＥ６０４のためのＷＵＳモードを構成し、ここで、ＷＵＳモードは、ＵＥのためのＤＲＸモードまたはｅＤＲＸモードに対応する。ＷＵＳモードは、ＤＲＸとｅＤＲＸとで異なり得る。例えば、図６の参照に戻ると、基地局６０２は、６０５において、ＤＲＸモードに対応するＵＥ６０４のためのＷＵＳモードを構成し得るか、または６１５において、ｅＤＲＸモードに対応するＵＥ６０４のためのＷＵＳモードを構成し得る。基地局は、ＵＥのための各ＰＯのためにＷＵＳを含むようにＷＵＳモードを構成し得る。基地局６０２は、６０６において、ＵＥのための各ページング機会のためにＷＵＳを含むようにＷＵＳモードを構成し得る。基地局６０２は、ＷＵＳとＰＯとの間での１対１マッピングを適用し得る。８０６において、基地局はまた、ＵＥ８０６のためのＤＲＸサイクルを構成し得る。例えば、ＮＢ−ＩｏＴ ＵＥの場合、基地局は、セル固有であるようにＤＲＸサイクルを構成し得る。ＵＥは、関連するＰＯにおいて各構成されたＤＲＸサイクルにわたってＷＵＳを受信するように構成され得る。別の例で、ＭＴＣ ＵＥの場合、ＤＲＸサイクルは、ＭＴＣ ＵＥに固有であり得、ＵＥは、関連するページング機会において各構成されたＤＲＸサイクルにわたってＷＵＳを受信するように構成される。例えば、図６の参照に戻ると、基地局６０２は、６０８において、ＵＥ６０４のためのＤＲＸサイクルと、ＵＥのためのＤＲＸサイクル毎に関連するページング機会を有するＷＵＳとを構成し得る。
【００６９】
[0090]  ８１０において、セル固有の複数のページング機会の数Ｎは、基地局８１０によって決定され得る。例えば、図６の参照に戻ると、基地局は、ＵＥのための複数のページング機会のために単一のＷＵＳを含むようにＷＵＳモードを構成し得る。基地局は、ＷＵＳとＰＯとの間の１対Ｎマッピングを可能にし得、ここで、Ｎは、図６における６１６に関連して説明されたように、複数のページング機会の数である。例として、単一のＷＵＳに対応するＮ個の複数のページング機会の数は、セル固有であり得る。複数のページング機会の数、例えば、Ｎは、６１７に例示されるように、基地局６０２によって決定され得る。
【００７０】
[0091]  ８１２において、複数のページング機会の数は、システム情報、例えば、ＳＩＢ中でＵＥにブロードキャストされ得る。例えば、図６の参照に戻ると、複数のページング機会の数Ｎは、ＳＩＢ中でＵＥ６０４にブロードキャストされ得る。複数のページング機会の構成された数はまた、基地局によってＣＮＥ６０１に示され得る。例えば、ｅＤＲＸサイクルは、ＮＢ−ＩｏＴ ＵＥの場合、２０．４８秒、４０．９６秒、．．．、または３時間であり得、ＭＴＣの場合、１０．２４秒、２０．４８秒、．．．、４４分であり得る。ＵＥ６０４は、６１４において、システム情報ブロック（ＳＩＢ）のブロードキャスト中で複数のページング機会の数のインジケーションを受信し得る。このように、複数のページング機会の構成されたセル固有の数は、ＵＥがより多くの利得を達成するのを助けるために、単純な値として設定され得る。ＵＥへのインジケーションもまた、単純であり得る。
【００７１】
[0092]  ８１４において、複数のページング機会の構成された数Ｎはまた、基地局によってＣＮＥに示され得る。例えば、図６は、６１８において、コアネットワークにセル固有のＮを示す基地局６０２を例示する。このように、複数のページング機会の構成されたセル固有の数は、ＵＥがより多くの利得を達成するのを助けるために、単純な値として設定され得る。ＵＥへのインジケーションもまた、単純であり得る。
【００７２】
[0093]  ８１６において、基地局は、複数のページング機会のＵＥ固有の数のインジケーションをＣＮＥから受信し得る。例えば、図６の参照に戻ると、単一のＷＵＳに対応する複数のページング機会の数は、ＵＥ固有であり得る。単一のＷＵＳに対応する複数のページング機会の数は、ＵＥ６０４のページング応答時間要件に基づき得る。例えば、複数のページング機会の数は、６２５において、ＵＥ応答時間要件に基づいてＣＮＥ６０１によって構成され得る。より大きいページング応答時間を有するＵＥの場合、複数のページング機会の数Ｎは、より大きい値に設定され得る。有利なことに、ＵＥは、より多くの電力を節約し、依然としてこのようにページングに追いつき得る。より小さいページング応答時間を有するＵＥの場合、複数のページング機会の数Ｎは、より小さい値に設定され得る。複数のページング機会の数は、６２７に例示されるように、Ｓ１インターフェースを介して基地局６０２に示され得る。ＣＮＥ６０１は、Ｓ１インターフェースを介して、ｅＤＲＸ構成およびＰＴＷと共に、ＵＥ固有のＮを基地局６０２に通知し得る。ＣＮＥ６０１はまた、例えば、ＮＡＳシグナリングを介して、ＤＲＸサイクルの構成された数をＵＥに通知する。
【００７３】
[0094]  ８１８において、基地局は、事前定義されたルックアップテーブルに基づいて、複数のページング機会のＵＥ固有の数を決定し得る。例えば、図６の参照に戻ると、基地局６０２、ＣＮＥ６０１、およびＵＥは、６２８に例示されるように、事前定義されたルックアップテーブルに基づいて、複数のページング機会の数を決定し得る。ルックアップテーブルは、ＰＴＷ持続時間、ＤＲＸサイクル持続時間、および／またはｅＤＲＸサイクル持続時間のうちの少なくとも１つに基づき得る。図７Ａおよび７Ｂは、実例的なルックアップテーブルを例示する。ＰＴＷは、ＵＥ固有であり得る。例えば、ＰＴＷは、ＭＴＣ ＵＥの場合、１．２８秒、．．．、２０．４８秒であり得、ＮＢ−ＩｏＴ ＵＥの場合、２．５６秒、．．．、４０．９６秒であり得る。例えば、ＣＮＥ６０１および基地局６０２は、ＰＴＷ持続時間、ＤＲＸサイクル長、および／またはｅＤＲＸサイクル長の事前定義されたルックアップテーブルに基づいて、複数のページング機会の数を算出し得る。別の例で、複数のページング機会の数は、事前定義されたルックアップテーブルに基づいて、ＣＮＥ６０１、基地局６０２、またはＵＥ６０４によって知られ得る。ＵＥ６０４は、６２９に例示されるように、例えば、ＮＡＳシグナリングを介してＣＮＥ６０１から、または、例えば、ＳＩＢを介して基地局から、事前定義されたルックアップテーブルに基づいて複数のページング機会の数のインジケーションを受信し得る。
【００７４】
[0095]  図９は、例証的な装置９０２中の異なる手段／コンポーネント間でのデータフローを例示する概念的なデータフロー図９００である。装置９０２は、ＵＥ９０４（例えば、ＵＥ１０４、３５０、４０４、５０４、装置１２０４、１５０４）と通信する基地局９０２（例えば、基地局１０２、１８０、３１０、４０２、５０２、６０２、１２０２、１５０２）であり得る。ワイヤレス通信は、本明細書で説明されるように、ＮＢ−ＩｏＴおよび／またはｅＭＴＣを含む５Ｇ ＮＲ通信を備え得る。装置９０２は、ネットワーク（例えば、コアネットワーク）並びにＵＥから通信を受信するように構成された受信コンポーネント９５０を含む。例えば、受信コンポーネントは、例えば、図８における８０２に関連して説明されたように、ＵＥ９０４がＤＲＸモードまたはｅＤＲＸモードのうちの１つにあるというインジケーションをコアネットワークエンティティ９６２から受信するように構成され得る。装置はまた、ＵＥおよびネットワークに通信を送信するように構成された送信コンポーネント９０６を含む。装置９０２は、ＵＥ９０４のためのウェイクアップ信号（ＷＵＳ）モードを構成するためのＷＵＳコンポーネント９１０を含み、ＷＵＳモードは、例えば、図８における８０４に関連して説明されたように、コアネットワークエンティティから受信されたＵＥのためのＤＲＸモードまたはｅＤＲＸモードのインジケーションに対応する。
【００７５】
[0096]  装置９０２は、ＵＥ９０４のためのＤＲＸサイクルと、ＵＥ９０４のためのＤＲＸサイクル毎に関連するページング機会を有するＷＵＳとを構成するためのＤＲＸコンポーネント９０８を含み得る。例えば、装置９０２は、ＵＥ９０４がＤＲＸモードにあるというインジケーションをＣＮＥ９６２から受信し得る。装置９０２は、ＤＲＸコンポーネント９０８において、ＷＵＳとＰＯとの間での１対１マッピングを適用し得る。ＮＢ−ＩｏＴ ＵＥの場合、ＤＲＸコンポーネントは、セル固有のＤＲＸサイクルを構成し得る。ＭＴＣ ＵＥの場合、ＤＲＸサイクルは、ＭＴＣ ＵＥに固有であり得、ＵＥは、関連するページング機会において各構成されたＤＲＸサイクルにわたってＷＵＳを受信するように構成される。
【００７６】
[0097]  装置９０２は、ｅＤＲＸコンポーネント９１２を含み得る。装置９０２は、ＵＥ９０４がｅＤＲＸモードにあるというインジケーションをＣＮＥ９６２から受信し得る。装置９０２は、コンポーネント９１２において、ＵＥ９０４のための複数のページング機会のために単一のＷＵＳを含むようにＷＵＳモードを構成し得る。装置９０２は、ＷＵＳとＰＯとの間での１対Ｎマッピングを可能にし得、ここで、Ｎは、複数のページング機会の数である。
【００７７】
[0098]  装置９０２は、決定コンポーネント９１４を含み得る。例えば、単一のＷＵＳに対応する複数のページング機会の数は、セル固有であり得る。複数のページング機会の数は、コンポーネント９１４において装置９０２によって決定され得る。別の例で、単一のＷＵＳに対応する複数のページング機会の数は、ＵＥ固有であり得る。単一のＷＵＳに対応する複数のページング機会の数は、ＵＥ９０４のページング応答時間要件に基づき得る。例えば、複数のページング機会の数Ｎは、ＵＥ応答時間要件に基づいてＣＮＥ９６２によって構成され得る。複数のページング機会の数は、Ｓ１インターフェースを介して装置９０２に示され得る。ＣＮＥ９６２は、Ｓ１インターフェースを介してｅＤＲＸおよびＰＴＷと共にＵＥ固有のＮを基地局９０２に通知し得る。別の例で、装置９０２は、事前定義されたルックアップテーブルに基づいて、複数のページング機会の数を決定し得る。ルックアップテーブルは、ＰＴＷ持続時間、ＤＲＸサイクル持続時間、および／またはｅＤＲＸサイクル持続時間のうちの少なくとも１つに基づき得る。ＰＴＷは、ＵＥ固有である。例えば、ＣＮＥ６０１および装置９０２は、ＰＴＷ持続時間、ＤＲＸサイクル、および／またはｅＤＲＸサイクルの事前定義されたルックアップテーブルに基づいて、複数のページング機会の数を算出し得る。
【００７８】
[0099]  装置９０２は、送信コンポーネント９０６を含む。装置９０２は、ＵＥ９０４にＷＵＳをブロードキャストし得る。ＵＥ９０４は、装置９０２からＤＲＸサイクル構成を受信し得る。ＷＵＳは、ＵＥ９０４のためのＤＲＸサイクル毎に関連するページング機会を有し得る。別の例で、複数のページング機会の数は、ＳＩＢ中でＵＥ９０４にブロードキャストされ得る。複数のページング機会の構成された数はまた、ＣＮＥ９６２に示され得る。ＵＥ９０４は、ＳＩＢのブロードキャスト中で複数のページング機会の数のインジケーションを受信し得る。
【００７９】
[00100]  装置は、図６および８の前述されたフローチャート中のアルゴリズムのブロックの各々を行う追加のコンポーネントを含み得る。そのため、図６および８の前述されたフローチャート中の各ブロックは、コンポーネントによって行われ得、装置は、それらコンポーネントのうちの１つまたは複数を含み得る。コンポーネントは、記載されたプロセス／アルゴリズムを行うように特に構成された１つまたは複数のハードウェアコンポーネントであり得るか、記載されたプロセス／アルゴリズムを行うように構成されたプロセッサによって実現され得るか、プロセッサによる実現形態のためにコンピュータ可読媒体内に記憶され得るか、またはそれらの何らかの組み合わせであり得る。
【００８０】
[00101]  図１０は、処理システム１０１４を採用する装置９０２’のためのハードウェア実現形態の例を例示する図１０００である。処理システム１０１４は、一般にバス１０２４によって表されるバスアーキテクチャを用いて実現され得る。バス１０２４は、処理システム１０１４の特定のアプリケーションおよび全体的な設計制約に応じて、任意の数の相互接続バスおよびブリッジを含み得る。バス１０２４は、プロセッサ１００４、コンポーネント９５０、９０６、９０８、９１０、９１２、９１４、９５０、およびコンピュータ可読媒体／メモリ１００６によって表される、１つまたは複数のプロセッサおよび／またはハードウェアコンポーネントを含む様々な回路を共にリンクする。バス１０２４はまた、タイミングソース、周辺機器、電圧レギュレータ、および電力管理回路などの様々な他の回路をリンクし得るが、それらは、当該技術において良く知られており、従って、これ以上説明されない。
【００８１】
[00102]  処理システム１０１４は、トランシーバ１０１０に結合され得る。トランシーバ１０１０は、１つまたは複数のアンテナ１０２０に結合される。トランシーバ１０１０は、送信媒体を通して様々な他の装置と通信するための手段を提供する。トランシーバ１０１０は、１つまたは複数のアンテナ１０２０から信号を受信し、受信された信号から情報を抽出し、抽出された情報を処理システム１０１４、具体的には受信コンポーネント９５０に提供する。加えて、トランシーバ１０１０は、処理システム１０１４、具体的には送信コンポーネント９０６から情報を受信し、受信された情報に基づいて、１つまたは複数のアンテナ１０２０に適用されることになる信号を生成する。処理システム１０１４は、コンピュータ可読媒体／メモリ１００６に結合されたプロセッサ１００４を含む。プロセッサ１００４は、コンピュータ可読媒体／メモリ１００６上に記憶されたソフトウェアの実行を含む一般の処理を担う。ソフトウェアは、プロセッサ１００４によって実行されると、処理システム１０１４に、任意の特定の装置について上記に説明された様々な機能を行わせる。コンピュータ可読媒体／メモリ１００６はまた、ソフトウェアを実行するときにプロセッサ１００４によって操作されるデータを記憶するために使用され得る。処理システム１０１４は更に、コンポーネント９５０、９０６、９０８、９１０、９１２、９１４、９５０のうちの少なくとも１つを含む。コンポーネントは、プロセッサ１００４中で作動中であり、コンピュータ可読媒体／メモリ１００６中に存在する／記憶されたソフトウェアコンポーネント、プロセッサ１００４に結合された１つまたは複数のハードウェアコンポーネント、またはそれらの何らかの組み合わせであり得る。処理システム１０１４は、基地局３１０のコンポーネントであり得、メモリ３７６、並びに／またはＴＸプロセッサ３１６、ＲＸプロセッサ３７０、およびコントローラ／プロセッサ３７５のうちの少なくとも１つを含み得る。
【００８２】
[00103]  一構成において、ワイヤレス通信のための装置９０２／９０２’は、ＵＥがＤＲＸモードまたはｅＤＲＸモードのうちの１つにあるというインジケーションをコアネットワークエンティティから受信するための手段と、  基地局が、ＵＥのためのＷＵＳモードを構成するための手段と、ＷＵＳモードは、ＵＥのためのＤＲＸモードまたはｅＤＲＸモードに対応する、  基地局において、ＵＥのためのＤＲＸサイクルと、ＵＥのためのＤＲＸサイクル毎に関連するページング機会を有するＷＵＳとを構成するための手段と、  単一のＷＵＳに対応する複数のページング機会の数を決定するための手段と、ここで、数は、セル固有である、  単一のＷＵＳに対応する複数のページング機会の数を決定するための手段と、ここで、数は、ＵＥのページング応答時間要件に基づく、  単一のＷＵＳに対応する複数のページング機会の数がルックアップテーブルに基づいて事前定義されると決定するための手段と、  システム情報ブロック中でＵＥにブロードキャストするための手段とを含む。
【００８３】
[00104]  前述された手段は、前述された手段によって記載された機能を行うように構成された装置９０２’の処理システム１０１４および／または装置９０２の前述されたコンポーネントのうちの１つまたは複数であり得る。上記に説明されたように、処理システム１０１４は、ＴＸプロセッサ３１６、ＲＸプロセッサ３７０、およびコントローラ／プロセッサ３７５を含み得る。そのため、一構成において、前述された手段は、前述された手段によって記載された機能を行うように構成されたＴＸプロセッサ３１６、ＲＸプロセッサ３７０、およびコントローラ／プロセッサ３７５であり得る。
【００８４】
[00105]  図１１は、ワイヤレス通信の方法のフローチャート１１００である。方法は、基地局（例えば、基地局１０２、１８０、４０２、５０２、７０２、１２０４、１５０４、装置９０２、９０２’）と通信するＵＥ（例えば、ＵＥ１０４、３５０、４０４、５０４、６０４、９０４、装置１２０４、１５０４）によって行われ得る。ワイヤレス通信は、本明細書で説明されるように、ＮＢ−ＩｏＴおよび／またはｅＭＴＣ通信を含む５Ｇ ＮＲ通信を備え得る。オプションの態様は、破線を用いて例示される。ＷＵＳモードを使用することによって、ＵＥは、電力を節約し、通信信頼性を増大させ得る。方法は、ＤＲＸおよびｅＤＲＸのための異なるＷＵＳ構成をサポートする際の問題に対する解決策を提供する。
【００８５】
[00106]  １１０２において、ＵＥは、ＤＲＸモードまたはｅＤＲＸモードのうちの１つのためのＷＵＳ構成をＵＥのための基地局から受信する。例えば、図６の参照に戻ると、基地局６０２は、６０５において、ＤＲＸモードに対応するＵＥ６０４のためのＷＵＳモードを構成し得るか、または６１５において、ｅＤＲＸモードに対応するＵＥ６０４のためのＷＵＳモードを構成し得る。ＵＥ６０４は、それぞれ６０９または６１９において、ＤＲＸモードまたはｅＤＲＸモードのうちの１つのためのＷＵＳ構成のパラメータ、例えば、セル固有パラメータを基地局６０２から受信し得る。
【００８６】
[00107]  １１０４において、ＵＥは、基地局からの受信された構成に基づいて、ページング機会より前にＷＵＳについてリッスンする。例えば、図６の参照に戻ると、ＵＥ６０４は、基地局６０２からの受信された構成に基づいて、ＰＯまたはいくつかのＰＯより前にＷＵＳを検出し得る。ＵＥ６０４は、それぞれ６０９または６１９において、ＤＲＸモードまたはｅＤＲＸモードのうちの１つのためのＷＵＳ構成のパラメータ、例えば、ＵＥ固有パラメータをＭＭＥ６０１から受信し得る。ＵＥ６０４は、ＭＭＥ６０１からの受信された構成に基づいて、ＰＯまたはいくつかのＰＯより前にＷＵＳを検出し得る。
【００８７】
[00108]  １１０６において、ＵＥは、基地局から、ＵＥのためのＤＲＸサイクル構成と、ＵＥのためのＤＲＸサイクル毎に関連するページング機会を有するＷＵＳとを受信し得る。例として、１１０２においてＵＥによって受信されたＷＵＳ構成は、各ページング機会に対応するＷＵＳ、例えば、１対１構成を含み得る。例えば、図６の参照に戻ると、ＵＥ６０４は、６１０において、基地局からＤＲＸサイクル構成を受信し得る。ＷＵＳは、ＵＥ６０４のためのＤＲＸサイクル毎に関連するページング機会を有し得る。
【００８８】
[00109]  １１０８において、ＵＥは、関連するページング機会において各構成されたＤＲＸサイクルにわたってＷＵＳが送信されることになると仮定し得る。例えば、図６の参照に戻ると、ＵＥ６０４は、６０９において、ＤＲＸモードまたはｅＤＲＸモードのためのＷＵＳ構成のパラメータ、例えば、セル固有パラメータを基地局６０２から受信し得る。ＮＢ−ＩｏＴ ＵＥの場合、基地局によって構成されるＤＲＸサイクルは、図６における６０８に関連して説明されたように、セル固有であり得る。ＭＴＣ ＵＥの場合、ＤＲＸサイクルは、ＭＴＣ ＵＥに固有であり得る。
【００８９】
[00110]  １１１０において、ＵＥは、システム情報のブロードキャスト中で複数のページング機会のセル固有の数のインジケーションを受信し得る。例として、ＵＥは、１１０２において、ｅＤＲＸモードのためのＷＵＳ構成を受信し得、ここで、ＷＵＳ構成は、複数のページング機会のために単一のＷＵＳ、例えば、１対Ｎ構成を含む。例えば、単一のＷＵＳに対応する複数のページング機会の数は、セル固有であり得、基地局によって決定され得る。例えば、図６の参照に戻ると、ｅＤＲＸサイクルは、ＮＢ−ＩｏＴ ＵＥの場合、２０．４８秒、４０．９６秒、．．．、または３時間であり得、ＭＴＣの場合、１０．２４秒、２０．４８秒、．．．、４４分であり得る。ＵＥ６０４は、６１４において、ＳＩＢのブロードキャスト中で複数のページング機会の数のインジケーションを受信し得る。このように、複数のページング機会の構成されたセル固有の数は、ＵＥがより多くの利得を達成するのを助けるために、単純な値として設定され得る。ＵＥへのインジケーションもまた、単純であり得る。
【００９０】
[00111]  １１１２において、ＵＥは、ＳＩＢを介して基地局から複数のページング機会のＵＥ固有の数のインジケーションを受信し得る。例えば、図６の参照に戻ると、複数のページング機会の数は、６２５において、ＵＥ応答時間要件に基づいてＣＮＥ６０１によって構成され得る。より大きいページング応答時間を有するＵＥの場合、複数のページング機会の数Ｎは、より大きい値に設定され得る。有利なことに、ＵＥは、より多くの電力を節約し、依然としてこのようにページングに追いつき得る。より小さいページング応答時間を有するＵＥの場合、複数のページング機会の数Ｎは、より小さい値に設定され得る。複数のページング機会の数は、６２７に例示されるように、Ｓ１インターフェースを介して基地局６０２に示され得る。ＣＮＥ６０１は、Ｓ１インターフェースを介して、ｅＤＲＸ構成およびＰＴＷと共に、ＵＥ固有のＮを基地局６０２に通知し得る。ＣＮＥ６０１はまた、例えば、ＮＡＳシグナリングを介して、ＤＲＸサイクルの構成された数をＵＥに通知する。別の例で、基地局６０２、ＣＮＥ６０１、およびＵＥは、６２８に例示されるように、事前定義されたルックアップテーブルに基づいて、複数のページング機会の数を決定し得る。ルックアップテーブルは、ＰＴＷ持続時間、ＤＲＸサイクル持続時間、および／またはｅＤＲＸサイクル持続時間のうちの少なくとも１つに基づき得る。ＵＥ６０４は、６２９に例示されるように、例えば、ＮＡＳシグナリングを介してＣＮＥ６０１から、または、例えば、ＳＩＢを介して基地局から、事前定義されたルックアップテーブルに基づいて複数のページング機会の数のインジケーションを受信し得る。
【００９１】
[00112]  図１２は、例証的な装置１２０４中の異なる手段／コンポーネント間でのデータフローを例示する概念的なデータフロー図１２００である。装置は、基地局１２０２（例えば、基地局１０２、１８０、４０２、７０２、装置９０２、９０２’）と通信するＵＥ（例えば、ＵＥ１０４、３５０、４０４、７０４、９０４）であり得る。ワイヤレス通信は、本明細書で説明されるように、５Ｇ ＮＲ通信を備え得る。装置１２０４は、ＤＲＸモードまたはｅＤＲＸモードのうちの１つのためのＷＵＳ構成をＵＥ１２０４のための基地局１２０２から受信する受信コンポーネント１２０６を含む。装置は１２０４、基地局１２０２からの受信された構成に基づいて、ページング機会より前にＷＵＳについてリッスンするＷＵＳコンポーネント１２０８を含む。
【００９２】
[00113]  装置１２０４は、基地局１２０２から、ＵＥ１２０４のためのＤＲＸサイクル構成と、ＵＥのためのＤＲＸサイクル毎に関連するページング機会を有するＷＵＳとを受信するためのＤＲＸコンポーネント１２１２を含み得る。ＮＢ−ＩｏＴ ＵＥの場合、ＤＲＸサイクルは、セル固有であり得る。ＭＴＣ ＵＥの場合、ＤＲＸサイクルは、ＭＴＣ ＵＥに固有であり得、ＵＥ１２０４は、関連するページング機会において各構成されたＤＲＸサイクルにわたってＷＵＳを受信するように構成される。
【００９３】
[00114]  装置１２０４は、ｅＤＲＸコンポーネント１２１４を含み得る。装置１２０４は、ＷＵＳ構成が複数のページング機会のために単一のＷＵＳを備えるというインジケーションを受信し得る。例えば、装置１２０４は、システム情報のブロードキャスト中で複数のページング機会の数のインジケーションを受信し得る。
【００９４】
[00115]  装置は、基地局からの受信された構成（１つ以上）に基づいて、ページング機会より前のＷＵＳのために構成されたリスニングコンポーネント１２１６を含み得る。
【００９５】
[00116]  装置は、図６および８の前述されたフローチャート中のアルゴリズムのブロックの各々を行う追加のコンポーネントを含み得る。そのため、図６および８の前述されたフローチャート中の各ブロックは、コンポーネントによって行われ得、装置は、それらのコンポーネントのうちの１つまたは複数を含み得る。コンポーネントは、記載されたプロセス／アルゴリズムを行うように特に構成された１つまたは複数のハードウェアコンポーネントであり得るか、記載されたプロセス／アルゴリズムを行うように構成されたプロセッサによって実現され得るか、プロセッサによる実現形態のためにコンピュータ可読媒体内に記憶され得るか、またはそれらの何らかの組み合わせであり得る。
【００９６】
[00117]  図１３は、処理システム１３１４を採用する装置１２０４’のためのハードウェア実現形態の例を例示する図１３００である。処理システム１３１４は、一般にバス１３２４によって表されるバスアーキテクチャを用いて実現され得る。バス１３２４は、処理システム１３１４の特定のアプリケーションおよび全体的な設計制約に応じて、任意の数の相互接続バスおよびブリッジを含み得る。バス１３２４は、プロセッサ１３０４、コンポーネント１２０６、１２０８、１２１０、１２１２、１２１４、１２１６、およびコンピュータ可読媒体／メモリ１３０６によって表される、１つまたは複数のプロセッサおよび／またはハードウェアコンポーネントを含む様々な回路を共にリンクする。バス１３２４はまた、タイミングソース、周辺機器、電圧レギュレータ、および電力管理回路などの様々な他の回路をリンクし得るが、それらは、当該技術において良く知られており、従って、これ以上は説明されない。
【００９７】
[00118]  処理システム１３１４は、トランシーバ１３１０に結合され得る。トランシーバ１３１０は、１つまたは複数のアンテナ１３２０に結合される。トランシーバ１３１０は、送信媒体を通して様々な他の装置と通信するための手段を提供する。トランシーバ１３１０は、１つまたは複数のアンテナ１３２０から信号を受信し、受信された信号から情報を抽出し、抽出された情報を処理システム１３１４、具体的には受信コンポーネント１３０４に提供する。加えて、トランシーバ１３１０は、処理システム１３１４から情報を受信し、受信された情報に基づいて、１つまたは複数のアンテナ１３２０に適用されることになる信号を生成する。処理システム１３１４は、コンピュータ可読媒体／メモリ１３０６に結合されたプロセッサ１３０４を含む。プロセッサ１３０４は、コンピュータ可読媒体／メモリ１３０６上に記憶されたソフトウェアの実行を含む一般の処理を担う。ソフトウェアは、プロセッサ１３０４によって実行されると、処理システム１３１４に、任意の特定の装置について上記に説明された様々な機能を行わせる。コンピュータ可読媒体／メモリ１３０６はまた、ソフトウェアを実行するときにプロセッサ１３０４によって操作されるデータを記憶するために使用され得る。処理システム１０１４は更に、コンポーネント１２０６、１２０８、１２１０、１２１２、１２１４、１２１６のうちの少なくとも１つを含む。コンポーネントは、プロセッサ１３０４中で作動中であり、コンピュータ可読媒体／メモリ１３０６中に存在する／記憶されたソフトウェアコンポーネント、プロセッサ１３０４に結合された１つまたは複数のハードウェアコンポーネント、またはそれらの何らかの組み合わせであり得る。処理システム１３１４は、ＵＥ３５０のコンポーネントであり得、メモリ３６０、並びに／またはＴＸプロセッサ３６８、ＲＸプロセッサ３５６、およびコントローラ／プロセッサ３５９のうちの少なくとも１つを含み得る。
【００９８】
[00119]  一構成において、ワイヤレス通信のための装置１２０４／１２０４’は、ＤＲＸモードまたはｅＤＲＸモードのうちの１つのためのＷＵＳ構成をＵＥのための基地局から受信するための手段と、基地局からの受信された構成に基づいて、ページング機会より前にＷＵＳについてリッスンするための手段と、基地局から、ＵＥのためのＤＲＸサイクル構成と、ＵＥのためのＤＲＸサイクル毎に関連するページング機会を有するＷＵＳとを受信するための手段と、システム情報のブロードキャスト中で複数のページング機会の数のインジケーションを受信するための手段とを含む。前述された手段は、前述された手段によって記載された機能を行うように構成された装置１２０４’の処理システム１３１４および／または装置１２０４の前述されたコンポーネントのうちの１つまたは複数であり得る。上記に説明されたように、処理システム１３１４は、ＴＸプロセッサ３６８、ＲＸプロセッサ３５６、およびコントローラ／プロセッサ３５９を含み得る。そのため、一構成で、前述された手段は、前述された手段によって記載された機能を行うように構成されたＴＸプロセッサ３６８、ＲＸプロセッサ３５６、およびコントローラ／プロセッサ３５９であり得る。
【００９９】
[00120]  図１４は、新しいセルを再選択した後の適切なＵＥ挙動の問題を解決するためのワイヤレス通信の方法１４００の例のフローチャート１４００である。方法は、基地局（例えば、基地局１０２、１８０、４０２、６０２、１２０２、１５０２、装置９０２、９０２’）と通信するＵＥ（例えば、ＵＥ１０４、３５０、４０４、５０４、６０４、９０４、装置１２０４、１５０４）によって行われ得る。ワイヤレス通信は、本明細書で説明されるように、ＮＢ−ＩｏＴおよび／またはｅＭＴＣ通信を含む５Ｇ ＮＲ通信を備え得る。方法は、ＤＲＸモードまたはｅＤＲＸモードにあるＵＥが新しいセルに移動するときに生じ得る問題に対する解決策を提供する。方法は、ＲＲＭ測定の精度を保証するのに有利であり得るＵＥの追加の構成を提供する。オプションの態様は、破線を用いて例示される。
【０１００】
[00121]  １４０２において、ＵＥは、第１のセルとの緩和されたＲＲＭ測定モードに入り、ここにおいて、緩和されたＲＲＭ測定は、１つよりも多くのＤＲＸサイクルにわたって単一のＲＲＭ測定を備える。例えば、緩和されたＲＲＭ測定モードにおいて、ＵＥは、複数のサイクルにわたって単一の測定のみを、例えば、Ｍ個のＤＲＸサイクル毎に１回、行い得る。Ｍは、整数値に対応する。
【０１０１】
[00122]  １４０４において、ＲＲＭ測定に基づいて、ＵＥは、第２のセルを再選択し得る。ＵＥは、ＭＩＢまたはＳＩＢ中で第２のセルについてのシステム情報を取得し得る。第２のセルはまた、緩和されたＲＲＭ測定をサポートし得る。
【０１０２】
[00123]  １４０６において、再選択時に、ＵＥは、１４０６において、ある時間期間にわたって通常のＲＲＭ測定モードに戻る。通常のＲＲＭ測定は、各ＤＲＸサイクルにわたって１つのＲＲＭ測定を備え得る。第１のセルと第２のセルとの両方が緩和されたＲＲＭ測定（例えば、Ｍ個のＤＲＸサイクル毎に単一のＲＲＭ測定のみ）をサポートする場合であっても、セル再選択後にＵＥが通常のＲＲＭ測定にフォールバックすると、新しいセルとの通信の精度が改善する。
【０１０３】
[00124]  例えば、時間期間は、ブロードキャストシステム情報を介して基地局から受信されたインジケーションに基づき得る。時間期間は、ブロードキャストシステム情報を介して基地局から受信された緩和されたＲＲＭ測定についての構成パラメータに基づいて算出され得る。基地局は、ＵＥが緩和されたＲＲＭ測定に戻る前に通常のＲＲＭ測定を維持するための時間期間を明示的または暗示的に示し得る。例えば、基地局は、次の緩和されたＲＲＭ測定のための時間まで、またはいくつかの緩和されたＲＲＭ測定持続時間のための時間まで、ＵＥが通常のＲＲＭ測定を行うためのＭ＊ＤＲＸサイクルを定義し得る。代替として、ＵＥは、ｅＤＲＸモードにある場合、ＰＴＷ内の緩和されたＲＲＭ測定のための次のタイミングまで、またはＰＴＷの終わりまで、通常のＲＲＭ測定を維持し得る。第２のセルによって構成されるＭ＊ＤＲＸは、第１のセルのものと同じであり得るかまたは異なり得ることに留意されたい。ＵＥは、セル再選択後に第２のセルの構成に従う。
【０１０４】
[00125]  別の例で、時間期間は、事前定義された最小持続時間に少なくとも部分的に基づき得る。例として、時間期間は、５分であり得るか、またはｅＤＲＸが構成され、ｅＤＲＸサイクル長が５分よりも長い場合には、ｅＤＲＸサイクル長であり得る。例えば、最小持続時間は、ＵＥが精度要件を満たすためにＲＲＭ測定を行うための時間長を備え得る。最小持続時間は、ＲＲＭ測定（例えば、ＲＳＲＰ）を取得して精度要件を達成するためにＵＥが必要とする時間に基づき得る。このように、ＵＥは、電力を節約するためにより多くの柔軟性を有し得る。別の例で、最小持続時間は、低モビリティＵＥとして識別されるＵＥに対応する時間長を備え得る。第２のセルのＲＲＭ測定に基づいて、ＵＥは、低モビリティＵＥとして識別され得、緩和されたＲＲＭ測定が適用され得る。低モビリティＵＥを識別するための多くの方法がある。一例で、ＵＥは、ＵＥが新しいセルについて測定するＲＲＭ測定に基づいて、低モビリティとして識別され得る。新しいセル、例えば、ＲＲＣ＿ＩＤＬＥ ＵＥのための現在のキャンピングセルまたはＲＲＣ＿ＣＯＮＮＥＣＴＥＤ ＵＥのための現在のサービングセルが、構成された／事前定義された閾値内のＲＳＲＰ変動を有する場合、ＵＥは、低モビリティＵＥである。別の例で、基地局は、ＲＳＲＰが小さい範囲内で変化するかどうかを確認するために閾値をブロードキャストし得る。閾値は、低モビリティＵＥを決定するために使用され得る。別の例で、メータなどの特定のタイプのＵＥは、ＣＮＥ（例えば、ＭＭＥ）において固定端末として登録され得る。ＵＥは、ＲＲＭ測定緩和によって適用され得る。
【０１０５】
[00126]  図１５は、例証的な装置１５０４中の異なる手段／コンポーネント間でのデータフローを例示する概念的なデータフロー図１５００である。装置１５０４は、基地局１５０２（例えば、基地局１０２、１８０、４０２、７０２、装置９０２、９０２’）と通信するＵＥ（例えば、ＵＥ１０４、３５０、４０４、７０４、９０４）であり得る。ワイヤレス通信は、本明細書で説明されるように、５Ｇ ＮＲ通信、例えば、ＮＢ−ＩｏＴおよび／またはｅＭＴＣ通信を備え得る。装置１５０４は、基地局１５０２からダウンリンク通信を受信するための受信コンポーネント１５０６と、基地局１５０２にアップリンク通信を送信するように構成された送信コンポーネント１５１０とを含む。装置１５０４は、緩和されたＲＲＭ測定モードに入り、１つよりも多くのＤＲＸサイクルにわたって単一のＲＲＭ測定を行うように構成された緩和されたＲＲＭコンポーネント１５１２を含む。装置は、緩和されたＲＲＭ測定をサポートする第２のセルを再選択するように構成された再選択コンポーネント１５１４を含む。装置は、ある時間期間にわたって通常のＲＲＭ測定に戻るように構成された通常のＲＲＭコンポーネント１５０８を含み、ここにおいて、通常のＲＲＭ測定は、各ＤＲＸサイクルにわたって１つのＲＲＭ測定を備える。
【０１０６】
[00127]  例えば、時間期間は、ブロードキャストシステム情報を介して基地局１５０２から受信されたインジケーション１５１６に基づき得る。時間期間は、ブロードキャストシステム情報を介して基地局１５０２から受信された緩和されたＲＲＭ測定についての構成パラメータに基づいて算出され得る。基地局１５０２は、装置１５０４が緩和されたＲＲＭ測定に戻る前に通常のＲＲＭ測定を維持するための時間期間のインジケーション１５１６を明示的または暗示的に送り得る。例えば、基地局１５０２は、装置１５０４が次の緩和されたＲＲＭ測定まで通常のＲＲＭ測定を行うためのＭ＊ＤＲＸサイクルを定義し得る。
【０１０７】
[00128]  別の例として、時間期間は、事前定義された最小持続時間に少なくとも部分的に基づき得る。例えば、最小持続時間は、装置１５０４が精度要件を満たすためにＲＲＭ測定を行うための時間長を備え得る。最小持続時間は、ＲＲＭ測定（例えば、ＲＳＲＰ）を得て精度要件を達成するために装置１５０４が必要とする時間に基づき得る。別の例で、最小持続時間は、低モビリティＵＥとして識別される装置１５０４に対応する時間長を備え得る。第２のセルのＲＲＭ測定に基づいて、ＵＥは、低モビリティＵＥとして識別され得、緩和されたＲＲＭ測定緩和は、第２のセルの構成に基づいて適用され得る（ＲＳＲＰが変更され得る）。
【０１０８】
[00129]  装置は、図１４の前述されたフローチャート中のアルゴリズムのブロックの各々を行う追加のコンポーネントを含み得る。そのため、図１４の前述されたフローチャート中の各ブロックは、コンポーネントによって行われ得、装置は、それらコンポーネントのうちの１つまたは複数を含み得る。コンポーネントは、記載されたプロセス／アルゴリズムを行うように特に構成された１つまたは複数のハードウェアコンポーネントであり得るか、記載されたプロセス／アルゴリズムを行うように構成されたプロセッサによって実現され得るか、プロセッサによる実現形態のためにコンピュータ可読媒体内に記憶され得るか、またはそれらの何らかの組み合わせであり得る。
【０１０９】
[00130]  図１６は、処理システム１６１４を採用する装置１５０４’のためのハードウェア実現形態の例を例示する図１６００である。処理システム１６１４は、一般にバス１６２４によって表されるバスアーキテクチャを用いて実現され得る。バス１６２４は、処理システム１６１４の特定のアプリケーションおよび全体的な設計制約に応じて、任意の数の相互接続バスおよびブリッジを含み得る。バス１６２４は、プロセッサ１６０４、コンポーネント１５０６、１５０８、１５１０、１５１２、１５１４、およびコンピュータ可読媒体／メモリ１６０６によって表される、１つまたは複数のプロセッサおよび／またはハードウェアコンポーネントを含む様々な回路を共にリンクする。バス１６２４はまた、タイミングソース、周辺機器、電圧レギュレータ、および電力管理回路などの様々な他の回路をリンクし得るが、それらは、当該技術において良く知られており、従って、これ以上は説明されない。
【０１１０】
[00131]  処理システム１６１４は、トランシーバ１６１０に結合され得る。トランシーバ１６１０は、１つまたは複数のアンテナ１６２０に結合される。トランシーバ１６１０は、送信媒体を通して様々な他の装置と通信するための手段を提供する。トランシーバ１６１０は、１つまたは複数のアンテナ１６２０から信号を受信し、受信された信号から情報を抽出し、抽出された情報を処理システム１６１４、具体的には受信コンポーネント１６０４に提供する。加えて、トランシーバ１６１０は、処理システム１６１４から情報を受信し、受信された情報に基づいて、１つまたは複数のアンテナ１６２０に適用されることになる信号を生成する。処理システム１６１４は、コンピュータ可読媒体／メモリ１６０６に結合されたプロセッサ１６０４を含む。プロセッサ１６０４は、コンピュータ可読媒体／メモリ１６０６上に記憶されたソフトウェアの実行を含む一般の処理を担う。ソフトウェアは、プロセッサ１６０４によって実行されると、処理システム１６１４に、任意の特定の装置について上記に説明された様々な機能を行わせる。コンピュータ可読媒体／メモリ１６０６はまた、ソフトウェアを実行するときにプロセッサ１６０４によって操作されるデータを記憶するために使用され得る。処理システム１６１４は更に、コンポーネント１５０６、１５０８、１５１０、１５１２、１５１４のうちの少なくとも１つを含む。コンポーネントは、プロセッサ１６０４中で作動中であり、コンピュータ可読媒体／メモリ１６０６中に存在する／記憶されたソフトウェアコンポーネント、プロセッサ１６０４に結合された１つまたは複数のハードウェアコンポーネント、またはそれらの何らかの組み合わせであり得る。処理システム１６１４は、ＵＥ３５０のコンポーネントであり得、メモリ３６０、並びに／またはＴＸプロセッサ３６８、ＲＸプロセッサ３５６、およびコントローラ／プロセッサ３５９のうちの少なくとも１つを含み得る。
【０１１１】
[00132]  一構成では、ワイヤレス通信のための装置１５０４／１５０４’は、第１のセルとの緩和された無線リソース管理（ＲＲＭ）測定に入るための手段と、ここで、緩和されたＲＲＭ測定は、１つよりも多くのＤＲＸサイクルわたって単一のＲＲＭ測定を備える、  緩和されたＲＲＭ測定をサポートする第２のセルを再選択するための手段と、  ある時間期間にわたって通常のＲＲＭ測定に戻るための手段と、ここにおいて、通常のＲＲＭ測定は、各ＤＲＸサイクルにわたって１つのＲＲＭ測定を備える、  を含む。前述された手段は、前述された手段によって記載された機能を行うように構成された装置１５０４’の処理システム１６１４および／または装置１５０４の前述されたコンポーネントのうちの１つまたは複数であり得る。上記に説明されたように、処理システム１６１４は、ＴＸプロセッサ３６８、ＲＸプロセッサ３５６、およびコントローラ／プロセッサ３５９を含み得る。そのため、一構成で、前述された手段は、前述された手段によって記載された機能を行うように構成されたＴＸプロセッサ３６８、ＲＸプロセッサ３５６、およびコントローラ／プロセッサ３５９であり得る。
【０１１２】
[00133]  図１７は、新しいセルを再選択した後の適切なＵＥ挙動の問題を解決するためのワイヤレス通信の方法１７００の別の例のフローチャートである。方法は、基地局（例えば、基地局１０２、１８０、４０２、７０２、９０２、９０２’）と通信するＵＥ（例えば、ＵＥ１０４、３５０、４０４、６０４、９０４）によって行われ得る。ワイヤレス通信は、本明細書で説明されるように、５Ｇ ＮＲ通信を備え得る。オプションの態様は、破線を用いて例示される。方法は、ＤＲＸモードまたはｅＤＲＸモードにあるＵＥが新しいセルに移動するときに生じ得る問題に対する解決策を提供する。方法は、ＲＲＭ測定の精度を保証するのに有利であり得るＵＥの追加の構成を提供する。
【０１１３】
[00134]  １７０２において、ＵＥは、ＤＲＸモードまたはｅＤＲＸモードに入り、ここで、ＤＲＸモードまたはｅＤＲＸモードは、第１のセルとのＷＵＳモードを備える。図２１Ａおよび２１Ｂは、ＤＲＸモードおよびｅＤＲＸモードの実例的な態様を例示する。
【０１１４】
[00135]  １７０４において、ＵＥは、第２のセルを再選択し、ＭＩＢ／ＳＩＢ中でシステム情報を取得し得る。第２のセルがＷＵＳをサポートしない場合、ＵＥは、非ＷＵＳモードに（またはＷＵＳモードを伴わずに）フォールバックし得、ここで、ＵＥは、ＤＲＸサイクル毎にページングを直接検出する。
【０１１５】
[00136]  １７０６において、ＵＥは、ある時間期間にわたってＷＵＳモードを伴わずにＤＲＸモードまたはｅＤＲＸモードに戻る。第１のセルと第２のセルとの両方がＷＵＳモードをサポートする場合であっても、ＵＥは依然として、ある時間期間にわたるセル再選択の後、（例えば、ページングのためのＰＤＣＣＨを直接検出するために）非ＷＵＳモードにフォールバックする必要がある。ＷＵＳモードは、ＵＥが電力を節約することを可能にし得るが、ＵＥが新しいセルのためのＷＵＳを見逃した場合、ＵＥは、ページング機会を見逃し、望ましくないレイテンシを生じ得る。このことから、ＵＥがＷＵＳを伴わないモードに戻る時間期間は、第２のセルを再選択した後、ＵＥが適切に挙動し、電力を節約するために重要であり得る。ＵＥは、セル再選択後に第２のセルの構成に従うことに留意されたい。ｅＤＲＸモードのためのＷＵＳと関連するＰＯとの間の１対Ｎマッピングの場合、第２のセルによって構成されるＮ＊ＤＲＸは、第１のセルのものと同じであり得るかまたは異なり得る。
【０１１６】
[00137]  例えば、時間期間は、ブロードキャストシステム情報を介して基地局から受信されたインジケーションに基づき得る。時間期間は、事前定義された最小持続時間に基づき得る。基地局は、ＷＵＳモードに戻る前にＵＥが非ＷＵＳモードを維持するための時間期間または事前定義された最小持続時間を明示的に示し得る。代替として、時間期間または最小時間期間は、ＮＳＡシグナリングを介してＭＭＥから受信されたインジケーションに基づき得る。それは、ＵＥページング応答時間要件に基づいてＵＥ固有に定義され得る。
【０１１７】
[00138]  別の例として、時間期間は、ＵＥのためのコアネットワークエンティティまたは基地局から受信されたＷＵＳ構成のパラメータに基づいて決定される。基地局は、ＷＵＳモードに戻る前にＵＥが非ＷＵＳモードを維持するための時間期間を暗示的に構成し得る。例えば、時間期間は、ＭＭＥレイテンシ要件および以前のＷＵＳ検出の持続時間のうちの少なくとも１つに基づき得る。時間期間は、ＵＥのための基地局から受信されたＷＵＳ構成のパラメータに基づいて決定され得る。時間期間は、ＷＵＳ構成に基づく事前定義されたルックアップテーブルに基づいて決定され得る。
【０１１８】
[00139]  更なる別の例として、時間期間は、ＵＥが第２のセルを再選択した後のＤＲＸサイクルの数に基づき得る。持続時間は、Ｘ＊ＤＲＸサイクルとして算出され得、ここで、Ｘは、ＵＥが第２のセルを再選択した後のＤＲＸサイクルの数である。例えば、ＷＵＳモードが各ＤＲＸサイクルにわたってＷＵＳを備え、時間期間が少なくとも２つのＤＲＸサイクルを備えるとき、ＵＥは、少なくとも２つのＤＲＸサイクルの後にＷＵＳモードに戻る。ＤＲＸモードでは、ＷＵＳとＤＲＸとの間での１対１マッピングが適用される。従って、ＵＥは、ＷＵＳを検出することなく、直接少なくとも次のＤＲＸサイクルを検出し得る。ＷＵＳモードに戻るための時間持続時間は、（Ｘ＝２）＊ＤＲＸサイクルであり得る。
【０１１９】
[00140]  別の例として、ｅＤＲＸモードで、ＷＵＳモードは、Ｎ個の複数のＤＲＸサイクルにわたって単一のＷＵＳを含み得、ここで、Ｎは、単一のＷＵＳのための複数のＤＲＸサイクルの数である。このことから、ＷＵＳとＤＲＸとの間での１対Ｎマッピングが適用される。従って、Ｎ＞＝２の場合、ＵＥは、次のＷＵＳタイミングまで直接ＤＲＸサイクルを検出し得る。
【０１２０】
[00141]  図１８Ａ〜１８Ｃは、次のＷＵＳタイミング１７２０まで直接ＤＲＸサイクルを検出するステップを更に詳細に例示する。ＷＵＳモードは、Ｎ個の複数のＤＲＸサイクルにわたって単一のＷＵＳを備え得、ｅＤＲＸモードは、Ｍ個のＤＲＸサイクル毎に単一のＲＲＭ測定を有する緩和されたＲＲＭ測定モードを備え得、ここで、Ｍは、緩和されたＲＲＭ測定のためのサイクルの数である。図１８Ａおよび１８Ｂに示されるように、ＵＥがＷＵＳモードに戻ることになる前の時間期間Ｘは、Ｎ≦Ｍであるとき、Ｘ＝Ｎ＊ＤＲＸサイクルであり得る。ＵＥは、Ｎ個のＤＲＸサイクルにおいて送信される次のＷＵＳまで各ＤＲＸサイクルを直接検出し得る。時間期間は、Ｎ個のＤＲＸサイクルに対応し得る。
【０１２１】
[00142]  図１８Ｃに示されるように、Ｎ＞Ｍであるとき、ＵＥは、ＷＵＳが第２のセル中でも同様に有効にされる場合、第２のセル中で次のＷＵＳタイミングを待つレイテンシを低減するために、Ｎ＊ＤＲＸサイクルにおける次のＷＵＳ送信まで各ＤＲＸサイクルを直接検出し得る。ＵＥがＷＵＳモードに戻り得る前の時間期間は、Ｘ＝（Ｎ−Ｍ0）＊ＤＲＸサイクル（またはＸ＝ｍａｘ（２，Ｎ−Ｍ0））＊ＤＲＸ）であり得、ここで、Ｍ0は、ＵＥが第２のセルを再選択するＲＲＭ測定を指す。Ｍ0＊ＤＲＸは、最後のＷＵＳ検出時間に対する以前のＲＲＭ測定の間の時間である。
【０１２２】
[00143]  図１９は、例証的な装置１９０４中の異なる手段／コンポーネント間でのデータフローを例示する概念的なデータフロー図１９００である。装置１９０４は、基地局１９０２（例えば、基地局１０２、１８０、４０２、７０２、装置９０２、９０２’）と通信するＵＥ（例えば、ＵＥ１０４、３５０、４０４、７０４、９０４）であり得る。ワイヤレス通信は、本明細書で説明されるように、５Ｇ ＮＲ通信を備え得る。装置１９０４は、基地局１９０２からダウンリンク通信を受信するための受信コンポーネント１９０６と、基地局にアップリンク通信を送信するように構成された送信コンポーネントとを含む。装置１９０４は、ＷＵＳコンポーネント１９０８と、ＤＲＸコンポーネント１９１０と、ｅＤＲＸコンポーネント１９１２と、時間期間コンポーネント１９１４と、再選択コンポーネント１９１８とを含む。
【０１２３】
[00144]  ＤＲＸコンポーネントは、第１のセルとのＷＵＳモードを備えるＤＲＸモードに入るように構成される。ｅＤＲＸコンポーネント１９１２は、第１のセルとのＷＵＳモードを備えるｅＤＲＸモードに入るように構成される。再選択コンポーネント１９１８は、ＷＵＳモードをサポートする第２のセルを再選択するように構成される。ＷＵＳコンポーネント１９０８は、ある時間期間にわたってＷＵＳモードを伴わずにＤＲＸモードまたはｅＤＲＸモードに戻るように構成され、それは、時間期間コンポーネント１９１４によって決定され得る。
【０１２４】
[00145]  時間期間は、ブロードキャストシステム情報を介して基地局から受信されたインジケーションに基づき得る。時間期間は、事前定義された最小持続時間に基づき得る。基地局１９０２は、ＷＵＳモードに戻る前にＵＥが非ＷＵＳモードを維持するための時間期間または事前定義された最小持続時間を明示的に示し得る。時間期間はまた、ＵＥのためのコアネットワークエンティティまたは基地局から受信されたＷＵＳ構成のパラメータに基づいて決定され得る。基地局１９０２は、ＷＵＳモードに戻る前に装置１９０４が非ＷＵＳモードを維持するための時間期間を暗示的に構成し得る。例えば、時間期間は、ＭＭＥレイテンシ要件および以前のＷＵＳ検出の持続時間のうちの少なくとも１つに基づき得る。時間期間は、装置１９０４のための基地局から受信されたＷＵＳ構成のパラメータに基づいて決定され得る。時間期間は、ＷＵＳ構成に基づく事前定義されたルックアップテーブルに基づいて決定され得る。
【０１２５】
[00146]  例えば、時間期間は、装置１９０４が第２のセルを再選択した後のＤＲＸサイクルの数に基づき得る。持続時間は、Ｘ＊ＤＲＸサイクルとして算出され得、ここで、Ｘは、ＵＥが第２のセルに再選択した後のＤＲＸサイクルの数である。例えば、ＷＵＳモードが各ＤＲＸサイクルにわたってＷＵＳを備え、時間期間が少なくとも２つのＤＲＸサイクルを備えるとき、装置１９０４は、少なくとも２つのＤＲＸサイクルの後にＷＵＳモードに戻る。ＤＲＸモードでは、ＷＵＳとＤＲＸとの間での１対１マッピングが適用される。従って、装置１９０４は、ＷＵＳを検出することなく、直接少なくとも次のＤＲＸサイクルを検出し得る。ＷＵＳモードに戻るための時間持続時間は、（Ｘ＝２）＊ＤＲＸサイクルであり得る。
【０１２６】
[00147]  別の例で、ｅＤＲＸモードでは、ＷＵＳモードが、Ｎ個の複数のＤＲＸサイクルにわたって単一のＷＵＳを含み得、ここで、Ｎは、単一のＷＵＳのための複数のＤＲＸサイクルの数である。ＷＵＳとＤＲＸとの間での１対Ｎマッピングが適用される。従って、Ｎ＞＝２の場合、装置１９０４は、次のＷＵＳタイミングまで直接ＤＲＸサイクルを検出し得る。ＷＵＳモードは、Ｎ個の複数のＤＲＸサイクルにわたって単一のＷＵＳを備え得、ｅＤＲＸモードは、Ｍ個のＤＲＸサイクル毎に単一のＲＲＭ測定を有する緩和されたＲＲＭ測定を備え得る。ＷＵＳモードに戻るための時間期間Ｘは、Ｎ＜＝Ｍであるとき、Ｎ＊ＤＲＸサイクルであり得る。装置１９０４は、Ｎ個のＤＲＸサイクルにおいて送信される次のＷＵＳまで各ＤＲＸサイクルを直接検出し得る。時間期間は、Ｎ個のＤＲＸサイクルに対応し得る。Ｎ＞Ｍであるとき、装置１９０４は、ＷＵＳが同様に有効にされる場合、第２のセル中で次のＷＵＳタイミングを待つレイテンシを低減するために、Ｎ＊ＤＲＸサイクルにおける次のＷＵＳ送信まで各ＤＲＸサイクルを直接検出し得る。ＷＵＳモードに戻るための時間期間は、（Ｎ−Ｍ0）＊ＤＲＸサイクルであり得、ここで、Ｍ0は、装置１９０４が第２のセルを再選択するＲＲＭ測定を指す。
【０１２７】
[00148]  装置は、図１７〜１８Ｃの前述されたフローチャート中のアルゴリズムのブロックの各々を行う追加のコンポーネントを含み得る。そのため、図１７〜１８Ｃの前述されたフローチャート中の各ブロックは、コンポーネントによって行われ得、装置は、それらコンポーネントのうちの１つまたは複数を含み得る。コンポーネントは、記載されたプロセス／アルゴリズムを行うように特に構成された１つまたは複数のハードウェアコンポーネントであり得るか、記載されたプロセス／アルゴリズムを行うように構成されたプロセッサによって実現され得るか、プロセッサによる実現形態のためにコンピュータ可読媒体内に記憶され得るか、またはそれらの何らかの組み合わせであり得る。
【０１２８】
[00149]  図２０は、処理システム２０１４を採用する装置１９０４’のためのハードウェア実現形態の例を例示する図２０００である。処理システム２０１４は、一般にバス２０２４によって表されるバスアーキテクチャを用いて実現され得る。バス２０２４は、処理システム２０１４の特定のアプリケーションおよび全体的な設計制約に応じて、任意の数の相互接続バスおよびブリッジを含み得る。バス２０２４は、プロセッサ２００４、コンポーネント２００８、２０１０、２０１２、２０１４、およびコンピュータ可読媒体／メモリ２００６によって表される、１つまたは複数のプロセッサおよび／またはハードウェアコンポーネントを含む様々な回路を共にリンクする。バス２０２４はまた、タイミングソース、周辺機器、電圧レギュレータ、および電力管理回路などの様々な他の回路をリンクし得るが、それらは、当該技術において良く知られており、従って、これ以上は説明されない。
【０１２９】
[00150]  処理システム２０１４は、トランシーバ２０１０に結合され得る。トランシーバ２０１０は、１つまたは複数のアンテナ２０２０に結合される。トランシーバ２０１０は、送信媒体を通して様々な他の装置と通信するための手段を提供する。トランシーバ２０１０は、１つまたは複数のアンテナ２０２０から信号を受信し、受信された信号から情報を抽出し、抽出された情報を処理システム２０１４、具体的には受信コンポーネント２００４に提供する。加えて、トランシーバ２０１０は、処理システム２０１４から情報を受信し、受信された情報に基づいて、１つまたは複数のアンテナ２０２０に適用されることになる信号を生成する。処理システム２０１４は、コンピュータ可読媒体／メモリ２００６に結合されたプロセッサ２００４を含む。プロセッサ２００４は、コンピュータ可読媒体／メモリ２００６上に記憶されたソフトウェアの実行を含む一般の処理を担う。ソフトウェアは、プロセッサ２００４によって実行されると、処理システム１６１４に、任意の特定の装置について上記に説明された様々な機能を行わせる。コンピュータ可読媒体／メモリ２００６はまた、ソフトウェアを実行するときにプロセッサ２００４によって操作されるデータを記憶するために使用され得る。処理システム２０１４は更に、コンポーネント２００８、２０１０、２０１２、２０１４のうちの少なくとも１つを含む。コンポーネントは、プロセッサ２００４中で作動中であり、コンピュータ可読媒体／メモリ２００６中に存在する／記憶されたソフトウェアコンポーネント、プロセッサ２００４に結合された１つまたは複数のハードウェアコンポーネント、またはそれらの何らかの組み合わせであり得る。処理システム２０１４は、ＵＥ３５０のコンポーネントであり得、メモリ３６０、並びに／またはＴＸプロセッサ３６８、ＲＸプロセッサ３５６、およびコントローラ／プロセッサ３５９のうちの少なくとも１つを含み得る。
【０１３０】
[00151]  一構成において、ワイヤレス通信のための装置１９０４／１９０４’は、間欠受信（ＤＲＸ：discontinuous reception）モードまたは拡張間欠受信（ＤＲＸ）モードに入るための手段と、ＤＲＸモードまたはｅＤＲＸモードは、第１のセルとのウェイクアップ信号（ＷＵＳ）モードを備える、  ＷＵＳモードをサポートする第２のセルを再選択するための手段と、  第２のセルを再選択した後に、ある時間期間にわたってＷＵＳモードを伴わずにＤＲＸモードまたはｅＤＲＸモードに戻るための手段とを含む。前述された手段は、前述された手段によって記載された機能を行うように構成された装置１９０４’の処理システム２０１４および／または装置１９０４の前述されたコンポーネントのうちの１つまたは複数であり得る。上記に説明されたように、処理システム２０１４は、ＴＸプロセッサ３６８、ＲＸプロセッサ３５６、およびコントローラ／プロセッサ３５９を含み得る。そのため、一構成において、前述された手段は、前述された手段によって記載された機能を行うように構成されたＴＸプロセッサ３６８、ＲＸプロセッサ３５６、およびコントローラ／プロセッサ３５９であり得る。
【０１３１】
[00152]  開示されたプロセス／フローチャート中のブロックの特定の順序または階層は例証的なアプローチの例示であるということが理解される。設計の選好に基づいて、プロセス／フローチャート中のブロックの特定の順序または階層は再配列され得ることが理解される。更に、いくつかのブロックは、組み合わされ得るか、または省略され得る。添付の方法の請求項は、サンプルの順序で様々なブロックの要素を提示しており、提示された特定の順序または階層に限定されることを意図されない。
【０１３２】
[00153]  先の説明は、いかなる当業者であっても、本明細書で説明された様々な態様を実践することを可能にするために提供される。これら態様への様々な修正は、当業者にとって容易に明らかとなり、本明細書で定義された包括的な原理は、他の態様に適用され得る。このことから、特許請求の範囲は、本明細書で示された態様に限定されることを意図されないが、特許請求の範囲の文言と一致する全範囲を付与されるべきであり、ここにおいて、単数形での要素への言及は、そうであると具体的に記載されない限り、「１つおよび１つのみ」を意味することを意図されず、むしろ「１つ以上」を意味する。「例証的（exemplary）」という用語は、本明細書で「例、事例、または例示としての役割を果たすこと」を意味するように使用される。「例証的」であるとして本明細書で説明されるいずれの態様も、他の態様より好ましいまたは有利であるとして必ずしも解釈されるべきでない。別途具体的に記載されない限り、「いくつかの／いくらかの／何らかの（some）」という用語は、１つ以上を指す。「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらの任意の組み合わせ」などの組み合わせは、Ａ、Ｂ、および／またはＣの任意の組み合わせを含み、複数のＡ、複数のＢ、または複数のＣを含み得る。具体的には、「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらの任意の組み合わせ」などの組み合わせは、Ａのみ、Ｂのみ、Ｃのみ、ＡとＢ、ＡとＣ、ＢとＣ、またはＡとＢとＣであり得、ここで、任意のそのような組み合わせは、Ａ、Ｂ、またはＣの１つ以上のメンバを包含し得る。当業者に知られているか、または後に知られることになる、この開示全体を通じて説明された様々な態様の要素に対する全ての構造的および機能的な均等物は、参照によって本明細書に明確に組み込まれ、特許請求の範囲によって包含されることを意図される。その上、本明細書で開示されたものはいずれも、そのような開示が特許請求の範囲に明示的に記載されているかどうかにかかわらず、公に献呈されることを意図されない。「モジュール」、「メカニズム」、「要素」、「デバイス」、および同様の用語は、「手段」という用語の代用でないことがある。そのため、要素が「〜のための手段」というフレーズを使用して明確に記載されていない限り、どの請求項の要素もミーンズプラスファンクションとして解釈されるべきでない。
【図１】
2021521687.tif 000003
【図２Ａ】
2021521687.tif 000004
【図２Ｂ】
2021521687.tif 000005
【図２Ｃ】
2021521687.tif 000006
【図２Ｄ】
2021521687.tif 000007
【図３】
2021521687.tif 000008
【図４】
2021521687.tif 000009
【図５】
2021521687.tif 000010
【図６】
2021521687.tif 000011
【図７Ａ】
2021521687.tif 000012
【図７Ｂ】
2021521687.tif 000013
【図８】
2021521687.tif 000014
【図９】
2021521687.tif 000015
【図１０】
2021521687.tif 000016
【図１１】
2021521687.tif 000017
【図１２】
2021521687.tif 000018
【図１３】
2021521687.tif 000019
【図１４】
2021521687.tif 000020
【図１５】
2021521687.tif 000021
【図１６】
2021521687.tif 000022
【図１７】
2021521687.tif 000023
【図１８Ａ】
2021521687.tif 000024
【図１８Ｂ】
2021521687.tif 000025
【図１８Ｃ】
2021521687.tif 000026
【図１９】
2021521687.tif 000027
【図２０】
2021521687.tif 000028
【図２１Ａ】
2021521687.tif 000029
【図２１Ｂ】
2021521687.tif 000030
【国際調査報告】
2021521687.tif 000031
2021521687.tif 000032
2021521687.tif 000033
2021521687.tif 000034
2021521687.tif 000035
2021521687.tif 000036